(57)【要約】【課題】双方向に伝送される光信号の伝送経路を一方向に単一化することにより、既存の単方向光通信用の光伝送装置を用いて、双方向の波長多重光通信を行なえるようにする。【解決手段】上り方向の光信号に対して所定の光信号処理を施す第１光信号処理部１Ｃと、下り方向の光信号に対して所定の光信号処理を施す第２光信号処理部１Ｄと、一方の双方向通信用光伝送路６０ｅを通じて入力される前記上り方向の光信号を第１光信号処理部１Ｃへ分岐する一方、第２光信号処理部１Ｄからの前記下り方向の光信号を上記一方の双方向通信用光伝送路６０ｅへ分岐する第１分岐部２２Ａと、他方の双方向通信用光伝送路６０ｆを通じて入力される前記下り方向の光信号を第２光信号処理部１Ｄへ分岐する一方、第１光信号処理部１Ｃからの前記上り方向の光信号を上記他方の双方向通信用光伝送路６０ｆへ分岐する第２分岐部２３Ａとをそなえて構成する。【選択図】図１４
2007282277.tif 000002
【特許請求の範囲】
【請求項１】
上り方向と下り方向とで異なる波長の光信号を伝送することにより双方向の光通信を行なう双方向通信用光伝送路に介装され該双方向通信用光伝送路を伝送される該光信号に対して所定の光伝送処理を施す双方向光通信用光伝送装置であって、
該上り方向の光信号に対して所定の光信号処理を施す第１光信号処理部と、
該下り方向の光信号に対して所定の光信号処理を施す第２光信号処理部と、
一方の双方向通信用光伝送路を通じて入力される該上り方向の光信号を該第１光信号処理部へ分岐する一方、該第２光信号処理部からの該下り方向の光信号を上記一方の双方向通信用光伝送路へ分岐する第１分岐部と、
他方の双方向通信用光伝送路を通じて入力される該下り方向の光信号を該第２光信号処理部へ分岐する一方、該第１光信号処理部からの該上り方向の光信号を上記他方の双方向通信用光伝送路へ分岐する第２分岐部とをそなえたことを特徴とする、双方向光通信用光伝送装置。
【請求項２】
該双方向通信用光伝送路による双方向通信が不可能になった非常時に該双方向通信用光伝送路に代わって該双方向通信を行なうための非常時双方向通信用光伝送路に介装されるとともに、
該第１光信号処理部が、
上記他方の双方向通信用光伝送路を通じての双方向通信が不可能になった時に上記一方の双方向通信用光伝送路を通じて入力される該上り方向の光信号を一方の非常時双方向通信用光伝送路へ折り返す第１折り返し光スイッチをそなえ、且つ、
該第２光信号処理部が、
上記一方の双方向通信用光伝送路を通じての双方向通信が不可能になった時に上記他方の双方向通信用光伝送路を通じて入力される該下り方向の光信号を他方の非常時双方向通信用光伝送路へ折り返す第２折り返し光スイッチをそなえたことを特徴とする、請求項１記載の双方向光通信用光伝送装置。
【請求項３】
上記非常時に他の光伝送装置で折り返され上記他方の非常時双方向通信用光伝送路を通じて入力される該上り方向の光信号を該第１光信号処理部へ分岐する一方、上記非常時に該第２光信号処理部からの該下り方向の光信号を上記他方の非常時双方向通信用光伝送路へ分岐する第３分岐部と、
上記非常時に他の光伝送装置で折り返され一方の非常時双方向通信用光伝送路を通じて入力される該下り方向の光信号を該第２光信号処理部へ分岐する一方、上記非常時に該第１光信号処理部からの該上り方向の光信号を上記一方の非常時双方向通信用光伝送路へ分岐する第４分岐部とをそなえたことを特徴とする、請求項２記載の双方向光通信用光伝送装置。
【請求項４】
該第１光信号処理部が、
上記一方の双方向通信用光伝送路を通じて入力される該上り方向の光信号についての分散を補償する第３分散補償器をそなえるとともに、
該第２光信号処理部が、
上記他方の双方向通信用光伝送路を通じて入力される該下り方向の光信号についての分散を補償する第４分散補償器をそなえたことを特徴とする、請求項１〜３のいずれか１項に記載の双方向光通信用光伝送装置。
【請求項５】
該第１光信号処理部が、
上記非常時に他の光伝送装置で折り返され上記他方の非常時双方向通信用光伝送路を通じて入力される該上り方向の光信号についての分散を補償する第５分散補償器をそなえるとともに、
該第２光信号処理部が、
上記非常時に他の光伝送装置で折り返され上記一方の非常時双方向通信用光伝送路を通じて入力される該下り方向の光信号についての分散を補償する第６分散補償器をそなえたことを特徴とする、請求項３記載の双方向光通信用光伝送装置。
【請求項６】
該第１光信号処理部が、
上記一方の双方向通信用光伝送路を通じて入力される該上り方向の光信号についての分散を補償する第３分散補償器と、上記非常時に他の光伝送装置で折り返され上記他方の非常時双方向通信用光伝送路を通じて入力される該上り方向の光信号についての分散を補償する第５分散補償器とをそなえるとともに、
該第２光信号処理部が、
上記他方の双方向通信用光伝送路を通じて入力される該下り方向の光信号についての分散を補償する第４分散補償器と、上記非常時に他の光伝送装置で折り返され上記一方の非常時双方向通信用光伝送路を通じて入力される該下り方向の光信号についての分散を補償する第６分散補償器とをそなえたことを特徴とする、請求項３記載の双方向光通信用光伝送装置。
【請求項７】
通常時に該第１光信号処理部で処理された該上り方向の光信号，通常時に該第２光信号処理部で処理された該下り方向の光信号，上記非常時に該第１光信号処理部で処理された該上り方向の光信号および上記非常時に該第２光信号処理部で処理された該下り方向の光信号の各スペクトル状態を監視するスペクトル監視部をそなえたことを特徴とする、請求項１〜６のいずれか１項に記載の双方向光通信用光伝送装置。
【請求項８】
該スペクトル監視部が、
上記通常時における各光信号のスペクトル状態と上記非常時における各光信号のスペクトル状態とを所定の周期で交互に監視するように構成されていることを特徴とする、請求項７記載の双方向光通信用光伝送装置。
【請求項９】
該第１光信号処理部および該第２光信号処理部が、
入力光信号に対して波長単位での光信号の分岐・挿入処理を施すアド・ドロップ処理部をそなえていることを特徴とする、請求項１〜８のいずれか１項に記載の双方向光通信用光伝送装置。
【請求項１０】
該アド・ドロップ処理部が、
入力光信号を波長毎に分波する光分波器と、
該光分波器で分波された各波長の光信号を各波長毎に分岐しうる複数の分岐用光スイッチと、
該分岐用光スイッチで分岐された光信号の波長と同じ波長の光信号を挿入しうる複数の挿入用光スイッチと、
該挿入用光スイッチを通じて入力される各波長の光信号を合波する光合波器とをそなえて構成されていることを特徴とする、請求項９記載の双方向光通信用光伝送装置。
【請求項１１】
該アド・ドロップ処理部が、
分岐すべき光信号の波長に相当する周波数信号を印加することにより所望の波長の光信号を分岐する音響光チューナブルフィルタと、
挿入すべき波長の光信号を発生する光源とをそなえて構成されていることを特徴とする、請求項９記載の双方向光通信用光伝送装置。
【請求項１２】
該第１光信号処理部および該第２光信号処理部が、
各波長の光信号の信号レベルを一定に保つ光信号レベル調整部をそなえたことを特徴とする、請求項１記載の双方向光通信用光伝送装置。
【請求項１３】
該光信号レベル調整部が、
波長単位で該光信号の減衰度を調整する複数の光アッテネータとして構成されていることを特徴とする、請求項１２記載の双方向光通信用光伝送装置。
【請求項１４】
該第１光信号処理部および該第２光信号処理部が、
入力光信号を増幅する光増幅器をそなえたことを特徴とする、請求項１記載の双方向光通信用光伝送装置。
【請求項１５】
該第１光信号処理部および該第２光信号処理部が、
上記非常時に該第１折り返し光スイッチおよび該第２折り返し光スイッチで、それぞれ、該非常時双方向通信用光伝送路へ折り返された各波長の光信号の信号レベルを一定に保つ非常時光信号レベル調整部をそなえたことを特徴とする、請求項１記載の双方向光通信用光伝送装置。
【請求項１６】
該非常時光信号レベル調整部が、
波長単位で該光信号のゲインを調整するゲインイコライザとして構成されていることを特徴とする、請求項１５記載の双方向光通信用光伝送装置。
【発明の詳細な説明】
【技術分野】
【０００１】
本発明は、異なる波長の光信号を双方向に伝送して双方向光通信を行なう双方向光通信用光伝送装置に関する。
【背景技術】
【０００２】
近年、マルチメディアネットワークを構築するための伝送系の通信システムでは、伝送容量の拡大が可能な光通信システムが適用されている。これまでの光通信システムにおける超大容量化を実現する多重化方式としては、例えば、時分割多重（Time-Division Multiplexing：ＴＤＭ）伝送方式や光時分割多重（Optical Time-Division Multiplexing：ＯＴＤＭ）伝送方式、または波長多重（Wavelength-Division Multiplexing：ＷＤＭ）伝送方式などがある。
【０００３】
これらの多重化方式のうち、ＷＤＭ伝送方式は、広い利得帯域を有するエルビウム添加光ファイバ増幅器（ＥＤＦＡ）を使用することにより、光レベルにおいて、クロスコネクトや光信号の分岐・挿入あるいは異種サービスの多重化など、光通信ネットワーク（光波ネットワーク）を柔軟に構築できる伝送方式として期待されている。
例えば、このようなＷＤＭ伝送方式を適用する光波ネットワークでは、伝送路の途中に設けられたノードと呼ばれる中継点によって、多重化された光信号のうちのある特定の波長の信号光を選択的に透過させ、それ以外の波長の信号をそのノードで受信するなど、光信号の分岐や挿入を自由に行なうことができる光ＡＤＭ装置（Add Drop Multiplexer）が用いられている。
【０００４】
つまり、ＷＤＭ伝送方式では、このような光ＡＤＭ装置を適用することにより、ノード間における伝送処理の高速化やネットワークのフレキシブル化を図ることができるようになっている。
ところで、上述のＷＤＭ伝送方式が適用される光波ネットワークは、通常、伝送される光信号の上り方向と下り方向とを、それぞれ別々の光ファイバ〔シングルモードファイバ（ＳＭＦ）〕を用いて通信する単方向波長多重方式が適用されている。
【０００５】
ここで、例えば、図１９に示すように、上述の単方向波長多重方式が適用される波長多重通信システム５０は、対向する２つの光伝送装置５０１，５０２が２本の単方向用光ファイバ８１Ａ，８１Ｂを介してそれぞれ接続された構成となっている。
具体的に、この光伝送装置５０１，５０２間においては、光伝送装置５０１の光送信部（ＯＳ；Optical Sender）８０Ａから上り方向の光信号（λ1〜λ8）を送信し、光ファイバ８１Ａを通じて光伝送装置５０２の光受信部（ＯＲ；Optical Receiver）８２Ａにて受信するとともに、光伝送装置５０２の光送信部８０Ｂから下り方向の光信号（λ1〜λ8）を送信し、光ファイバ８１Ｂを通じて光伝送装置５０１の光受信部８２Ｂにて受信するようになっている。
【０００６】
このように、図１９に示す波長多重通信システム５０では、光信号の上り方向と下り方向とに、それぞれ別々の光ファイバ８１Ａ，８１Ｂを割り当て、各光ファイバ８１Ａ，８１Ｂ内を伝送する光信号を、全て同一方向に伝送するようになっているのである。
ところが、上述の波長多重通信システム５０においては、２本の光ファイバ８１Ａ，８１Ｂのうち、例えば、図２０に示すように、１本の光ファイバ８１Ａにおいて障害が発生し、通信が断（以下、通信断ということがある）になった場合、上り方向の光信号の通信が途絶えてしまうため、光伝送装置５０１，５０２間では正常な通信が行なえない。
【０００７】
そのため、この単方向波長多重方式が適用される波長多重通信システム５０では、障害時用の光ファイバを設けた４ｆｉｂｅｒＢＬＳＲ（Bi-directional Line Switched Ring ）ネットワークや、実際の通信に使用する光ファイバの伝送容量を制限して残りの伝送容量を障害時用として使用するようにしたＵＰＳＲ（Uni-directional Path Switched Ring）ネットワークなどにより、上述のような通信不能を回避することができるようになっている。
【０００８】
ここで、例えば、図２１に示すように、上述の４ｆｉｂｅｒＢＬＳＲネットワーク５２は、光伝送装置（光ＡＤＭ装置）５０１〜５０５と、この光ＡＤＭ装置５０１〜５０５間を接続する単方向用の光ファイバ８１Ａ，８１Ａ′，８１Ｂ，８１Ｂ′とを有して構成される。
具体的に、この４ｆｉｂｅｒＢＬＳＲネットワーク５２は、通常時には、現用（Ｗ；work）の光ファイバ８１Ａを使用して上り方向（図２１では、右回り）の光信号を伝送する一方、光ファイバ８１Ｂを使用して下り方向（図２１では、左回り）の光信号を伝送するようになっている。そして、障害が発生したときには、非常時用（Ｐ；Protection）の光ファイバ８１Ａ′を使用して上り方向の光信号を伝送する一方、光ファイバ８１Ｂ′を使用して下り方向の光信号を伝送するようになっている。
【０００９】
例えば、光ＡＤＭ装置５０１と光ＡＤＭ装置５０２の間において、障害が発生すると、上り方向の光信号は、光ＡＤＭ装置５０１において折り返されて、非常時用の光ファイバ８１Ａ′を通じて伝送されるようになっている。即ち、光ＡＤＭ装置５０２への上り方向の光信号は、光ＡＤＭ装置５０１で折り返されて、光ＡＤＭ装置５０５，５０４，５０３を介して光ＡＤＭ装置５０２に伝送される。
【００１０】
一方、このとき、光ＡＤＭ装置５０１への下り方向の光信号は、光ＡＤＭ装置５０２において折り返されて、非常時用の光ファイバ８１Ｂ′を使用して光ＡＤＭ装置５０３，５０４，５０５を介して光ＡＤＭ装置５０１に伝送されるのである。
このように、図２１に示す４ｆｉｂｅｒＢＬＳＲネットワーク５２では、通常時、光通信を行なっている光ファイバ８１Ａ，８１Ｂにおいてある箇所の通信が断になった場合においても、全体のスループットを下げることなく、光通信を行なうことができるようになっている。
【００１１】
一方、例えば、図２２に示すように、上述のＵＰＳＲネットワーク５３は、光ＡＤＭ装置５０６〜５１０と、上り方向，下り方向にそれぞれ１本ずつ割り当てられた光ファイバ８１Ａ，８１Ｂとを有して構成され、上述の図２１に示す４ｆｉｂｅｒＢＬＳＲネットワーク５２が４本の光ファイバ８１Ａ，８１Ａ′，８１Ｂ，８１Ｂ′でネットワークを構築しているのに対し、このＵＰＳＲネットワーク５３は、２本の光ファイバ８１Ａ，８１Ｂでネットワークを構築することができる。
【００１２】
具体的に、このＵＰＳＲネットワーク５３は、通常時には、伝送システム（光ＡＤＭ装置５０６〜５１０，光ファイバ８１Ａ，８１Ｂ）の全伝送容量の半分の容量で通信を行なっている。例えば、伝送システムの全伝送容量が１０Ｇｂ／ｓである場合には、上り方向および下り方向の伝送容量を、それぞれ、５Ｇｂ／ｓずつ用いて通信を行なうことになる。
【００１３】
そして、非常時には、通常時に使用していない残りの半分の伝送容量を使用して、システム全体の伝送容量を最大限利用し、通信不能になることを防ぐようになっている。但し、この場合、上述の残り半分の伝送容量は、障害の発生した箇所の通信に専有させてしまうため、スループットは落ちてしまう。
ところで、上述の図２１，図２２に示すネットワーク５２，５３を構成する複数の光ＡＤＭ装置５０１〜５１０では、入力されてくる単方向の光信号に対して所定の光伝送処理（光ＡＤＭ処理）を施すようになっている。
【００１４】
即ち、各光ＡＤＭ装置５０１〜５１０では、それぞれ、自身の装置に必要な波長の光信号の分岐処理（Ｄｒｏｐ）やその分岐した波長の光信号の挿入処理（Ａｄｄ）を施すようになっている。
また、上述のＡｄｄ／Ｄｒｏｐ処理を行なう手段としては、ＡＯＴＦ（音響光チューナブルフィルタ；Acousto-Optical Tunable Filter）を用いたものがある。具体的に、このＡＯＴＦは、入力するＲＦ信号の周波数を制御することにより、この周波数に対応した波長の分岐・挿入処理を施すもので、分岐したい光信号の波長に対応するＲＦ周波数をＡＯＴＦに入力することによって、任意の波長を分岐することができるようになっている。
【００１５】
ところで、上述のＷＤＭ伝送方式を適用する光波ネットワークには、上述のように、伝送される光信号の上り方向と下り方向とをそれぞれ別々の光ファイバを用いて通信する単方向方多重方式のほかに、１本の光ファイバに上り方向と下り方向との双方向を伝送させて通信する双方向波長多重方式がある。
ここで、双方向波長多重方式を適用した波長多重通信システム（ネットワーク）は、例えば、図２３に示すように、対向する光伝送装置５１１，５１２間の光ファイバ８１Ｃ，８１Ｄにおいて、それぞれ、波長λ1〜λ4の上り方向の光信号と波長λ5〜λ8の下り方向の光信号とが伝送されるようになっている。
【００１６】
具体的に、図２３に示す波長多重通信システム５１では、例えば、光ファイバ８１Ｃにおける上り方向の光信号（λ1〜λ4）は、光伝送装置５１１の光送信部（ＯＳ）８０Ｃから出力されると、ＷＤＭ光カプラ８３を介して光ファイバ８１Ｃによって伝送され、対向する光伝送装置５１２のＷＤＭ光カプラ８４を介して光受信部（ＯＲ）８２Ｃにおいて受信されるようになっている。
【００１７】
また、下り方向の光信号（λ5〜λ8）は、光伝送装置５１２の光送信部８０Ｄから出力されると、ＷＤＭ光カプラ８４を介して光ファイバ８１Ｃによって伝送され、光伝送装置５１１のＷＤＭ光カプラ８３を介して光受信部８２Ｄにおいて受信されるようになっている。
さらに、光ファイバ８１Ｄにおける上り方向の光信号（λ1〜λ4）は、光伝送装置５１２の光送信部８０Ｆから出力されると、ＷＤＭ光カプラ８６を介して光ファイバ８１Ｄによって伝送され、光伝送装置５１１のＷＤＭ光カプラ８５を介して光受信部８２Ｆにおいて受信されるようになっている。
【００１８】
また、下り方向の光信号（λ5〜λ8）は、光伝送装置５１１の光送信部８０Ｅから出力されると、ＷＤＭ光カプラ８５を介して光ファイバ８１Ｄによって伝送され、対向する光伝送装置５１２のＷＤＭ光カプラ８６を介して光受信部８２Ｅにおいて受信されるようになっている。
このように、図２３に示す波長多重通信システム５１では、双方向の光信号を同一の光ファイバ８１Ｃ，８１Ｄを用いて伝送することができるようになっているのである。
【００１９】
従って、例えば、図２４に示すように、２本の光ファイバ８１Ｃ，８１Ｄのうち、１本の光ファイバ８１Ｃに障害が発生し、通信が断になった場合においても、もう一方の光ファイバ８１Ｄが正常に機能するため、通信が途絶えることなく継続する。但し、この場合、光信号の通信容量は通常時の１／２となる。
このように、双方向に通信可能な双方向波長多重方式を適用した波長多重通信システム５１では、障害が発生した場合においても、通信を継続することができるので、単方向波長多重方式を適用した波長多重通信システム５０のように、非常時に非常時用の光ファイバ８１Ａ′，８１Ｂ′に切り替えたり、伝送容量を制限することなく通信を行なうことができるのである。
【発明の開示】
【発明が解決しようとする課題】
【００２０】
しかしながら、上述の単方向用光ＡＤＭ装置５０１〜５０５を双方向用の波長伝送システム５１に適用することを考えた場合、単方向用光ＡＤＭ装置５０１〜５０５では、上り方向および下り方向のいずれか一方の方向に伝送される光信号についてしか、各波長の光信号の分岐・挿入処理や非常時のProtection側の光ファイバ８１Ａ′，８１Ｂ′への光信号の迂回処理等の光信号処理を行なえないという課題がある。
【００２１】
つまり、単方向用光ＡＤＭ装置５０１〜５０５は、単方向に伝送される光信号に対してのみ所定の光ＡＤＭ処理（即ち、分岐・挿入処理や、この分岐・挿入処理とともに施される分散補償処理，増幅処理など）を施す構成となっているため、この単方向用光ＡＤＭ装置５０１〜５０５に双方向用の光ファイバ８１Ｃ，８１Ｄを用いた場合、双方向に伝送される光信号のうちの一方向（順方向）に伝送される光信号に対しては上述の各処理が可能であっても、逆方向に伝送される光信号に対しては全ての処理が逆になり、上述の各処理は不可能になるのである。
【００２２】
さらに、上述のＡＯＴＦを用いて単方向用光ＡＤＭ装置５０１〜５０５を構成した場合において、ＡＯＴＦでは、分岐・挿入処理を施すポートがそれぞれ決まっているため、逆方向から伝送されてきた光信号に対して、分岐・挿入処理を施すことができない。
本発明は、このような課題に鑑み創案されたもので、双方向に伝送される光信号の伝送経路（流れ）を一方向に単一化することにより、既存の単方向光通信用の光伝送装置を用いて、双方向の波長多重光通信を行なえるようにした双方向光通信用光伝送装置を提供することを目的とする。
【課題を解決するための手段】
【００２３】
このため、請求項１記載の本発明の双方向光通信用光伝送装置は、上り方向と下り方向とで異なる波長の光信号を伝送することにより双方向の光通信を行なう双方向通信用光伝送路に介装され双方向通信用光伝送路を伝送される光信号に対して所定の光伝送処理を施す双方向光通信用光伝送装置であって、上り方向の光信号に対して所定の光信号処理を施す第１光信号処理部と、下り方向の光信号に対して所定の光信号処理を施す第２光信号処理部と、一方の双方向通信用光伝送路を通じて入力される上り方向の光信号を第１光信号処理部へ分岐する一方、第２光信号処理部からの下り方向の光信号を上記一方の双方向通信用光伝送路へ分岐する第１分岐部と、他方の双方向通信用光伝送路を通じて入力される下り方向の光信号を第２光信号処理部へ分岐する一方、第１光信号処理部からの上り方向の光信号を上記他方の双方向通信用光伝送路へ分岐する第２分岐部とをそなえたことを特徴としている。
【００２４】
また、請求項２記載の本発明の双方向光通信用光伝送装置は、請求項１記載の光伝送装置において、方向通信用光伝送路による双方向通信が不可能になった非常時に双方向通信用光伝送路に代わって双方向通信を行なうための非常時双方向通信用光伝送路に介装されるとともに、上記第１光信号処理部が、上記他方の双方向通信用光伝送路を通じての双方向通信が不可能になった時に上記一方の双方向通信用光伝送路を通じて入力される上り方向の光信号を一方の非常時双方向通信用光伝送路へ折り返す第１折り返し光スイッチをそなえ、且つ、上記第２光信号処理部が、上記一方の双方向通信用光伝送路を通じての双方向通信が不可能になった時に上記他方の双方向通信用光伝送路を通じて入力される下り方向の光信号を他方の非常時双方向通信用光伝送路へ折り返す第２折り返し光スイッチをそなえたことを特徴としている。
【００２５】
さらに、請求項３記載の本発明の双方向光通信用光伝送装置は、請求項２記載の光伝送装置において、上記非常時に他の光伝送装置で折り返され他方の非常時双方向通信用光伝送路を通じて入力される上り方向の光信号を第１光信号処理部へ分岐する一方、上記非常時に第２光信号処理部からの下り方向の光信号を上記他方の非常時双方向通信用光伝送路へ分岐する第３分岐部と、上記非常時に他の光伝送装置で折り返され一方の非常時双方向通信用光伝送路を通じて入力される下り方向の光信号を第２光信号処理部へ分岐する一方、上記非常時に第１光信号処理部からの上り方向の光信号を上記一方の非常時双方向通信用光伝送路へ分岐する第４分岐部とをそなえたことを特徴としている。
【００２６】
また、請求項４記載の本発明の双方向光通信用光伝送装置は、請求項１〜３のいずれか１項に記載の光伝送装置において、上記第１光信号処理部が、上記一方の双方向通信用光伝送路を通じて入力される上り方向の光信号についての分散を補償する第３分散補償器をそなえるとともに、上記第２光信号処理部が、上記他方の双方向通信用光伝送路を通じて入力される下り方向の光信号についての分散を補償する第４分散補償器をそなえたことを特徴としている。
【００２７】
さらに、請求項５記載の本発明の双方向光通信用光伝送装置は、請求項３記載の光伝送装置において、上記第１光信号処理部が、上記非常時に他の光伝送装置で折り返され上記他方の非常時双方向通信用光伝送路を通じて入力される上り方向の光信号についての分散を補償する第５分散補償器をそなえるとともに、上記第２光信号処理部が、上記非常時に他の光伝送装置で折り返され上記一方の非常時双方向通信用光伝送路を通じて入力される下り方向の光信号についての分散を補償する第６分散補償器をそなえたことを特徴としている。
【００２８】
また、請求項６記載の本発明の双方向光通信用光伝送装置は、請求項３記載の光伝送装置において、上記第１光信号処理部が、上記一方の双方向通信用光伝送路を通じて入力される上り方向の光信号についての分散を補償する第３分散補償器と、上記非常時に他の光伝送装置で折り返され上記他方の非常時双方向通信用光伝送路を通じて入力される上り方向の光信号についての分散を補償する第５分散補償器とをそなえるとともに、上記第２光信号処理部が、上記他方の双方向通信用光伝送路を通じて入力される下り方向の光信号についての分散を補償する第４分散補償器と、上記非常時に他の光伝送装置で折り返され上記一方の非常時双方向通信用光伝送路を通じて入力される下り方向の光信号についての分散を補償する第６分散補償器とをそなえたことを特徴としている。
【００２９】
さらに、請求項７記載の本発明の双方向光通信用光伝送装置は、請求項１〜６のいずれか１項に記載の光伝送装置において、通常時に第１光信号処理部で処理された上り方向の光信号，通常時に第２光信号処理部で処理された下り方向の光信号，上記非常時に第１光信号処理部で処理された上り方向の光信号および上記非常時に第２光信号処理部で処理された下り方向の光信号の各スペクトル状態を監視するスペクトル監視部をそなえたことを特徴としている。
【００３０】
また、請求項８記載の本発明の双方向光通信用光伝送装置は、請求項７記載の光伝送装置において、上記スペクトル監視部が、上記通常時における各光信号のスペクトル状態と上記非常時における各光信号のスペクトル状態とを所定の周期で交互に監視するように構成されていることを特徴としている。
さらに、請求項９記載の本発明の双方向光通信用光伝送装置は、請求項１〜８のいずれか１項に記載の光伝送装置において、上記第１光信号処理部および上記第２光信号処理部が、入力光信号に対して波長単位での光信号の分岐・挿入処理を施すアド・ドロップ処理部をそなえていることを特徴としている。
【００３１】
また、請求項１０記載の本発明の双方向光通信用光伝送装置は、請求項９記載の光伝送装置において、上記アド・ドロップ処理部が、入力光信号を波長毎に分波する光分波器と、この光分波器で分波された各波長の光信号を各波長毎に分岐しうる複数の分岐用光スイッチと、この分岐用光スイッチで分岐された光信号の波長と同じ波長の光信号を挿入しうる複数の挿入用光スイッチと、この挿入用光スイッチを通じて入力される各波長の光信号を合波する光合波器とをそなえて構成されていることを特徴としている。
【００３２】
さらに、請求項１１記載の本発明の双方向光通信用光伝送装置は、請求項９記載の光伝送装置において、上記アド・ドロップ処理部が、分岐すべき光信号の波長に相当する周波数信号を印加することにより所望の波長の光信号を分岐する音響光チューナブルフィルタと、挿入すべき波長の光信号を発生する光源とをそなえて構成されていることを特徴としている。
【００３３】
また、請求項１２記載の本発明の双方向光通信用光伝送装置は、請求項１記載の光伝送装置において、上記第１光信号処理部および上記第２光信号処理部が、各波長の光信号の信号レベルを一定に保つ光信号レベル調整部をそなえたことを特徴としている。
さらに、請求項１３記載の本発明の双方向光通信用光伝送装置は、請求項１２記載の光伝送装置において、上記光信号レベル調整部が、波長単位で光信号の減衰度を調整する複数の光アッテネータとして構成されていることを特徴としている。
【００３４】
また、請求項１４記載の本発明の双方向光通信用光伝送装置は、請求項１記載の光伝送装置において、上記第１光信号処理部および上記第２光信号処理部が、入力光信号を増幅する光増幅器をそなえたことを特徴としている。
さらに、請求項１５記載の本発明の双方向光通信用光伝送装置は、請求項１記載の光伝送装置において、上記第１光信号処理部および上記第２光信号処理部が、上記非常時に第１折り返し光スイッチおよび第２折り返し光スイッチで、それぞれ、非常時双方向通信用光伝送路へ折り返された各波長の光信号の信号レベルを一定に保つ非常時光信号レベル調整部をそなえたことを特徴としている。
【００３５】
また、請求項１６記載の本発明の双方向光通信用光伝送装置は、請求項１５記載の光伝送装置において、上記非常時光信号レベル調整部が、波長単位で光信号のゲインを調整するゲインイコライザとして構成されていることを特徴としている。
さらに、本発明に関連する技術の双方向光通信用光伝送装置は、上り方向と下り方向とで異なる波長の光信号を伝送することにより双方向の光通信を行なう双方向通信用光伝送路に介装され双方向通信用光伝送路を伝送される光信号に対して所定の光伝送処理を施す双方向光通信用光伝送装置であって、単方向に伝送される光信号に対して所定の光信号処理を施す単方向用光信号処理部と、上り方向，下り方向の各光信号の流れを単一方向化して単方向用光信号処理部へ入力する一方、単方向用光信号処理部からの光信号の流れを上り方向と下り方向とに双方向化する単方向／双方向変換処理部とをそなえたことを特徴としている。
【００３６】
また、本発明に関連する技術の双方向光通信用光伝送装置は、上記光伝送装置において、上記単方向用光信号処理部が、少なくとも１つの入力ポートと１つの出力ポートとをそなえて構成されるとともに、単方向／双方向変換処理部が、一方の双方向通信用光伝送路を通じて入力される上り方向の光信号と他方の双方向通信用光伝送路を通じて入力される下り方向の光信号とを単方向用光信号処理部の入力ポートへ入力する一方、単方向用光信号処理部の出力ポートから出力される光信号のうちの上り方向の光信号を上記他方の双方向通信用光伝送路へ出力するとともに下り方向の光信号を上記一方の双方向通信用光伝送路へ出力するように構成されていることを特徴としている。
【００３７】
さらに、本発明に関連する技術の双方向光通信用光伝送装置は、上記光伝送装置において、上記単方向／双方向変換処理部が、上り方向の光信号と下り方向の光信号とを合波して単方向用光信号処理部の入力ポートへ出力する光合波部と、単方向用光信号処理部の出力ポートからの光信号処理済の光信号を上り方向の光信号と下り方向の光信号に分波する光分波部と、上記一方の双方向通信用光伝送路からの上り方向の光信号を光合波部へ分岐する一方、光分波部で分波された下り方向の光信号を上記一方の双方向通信用光伝送路へ分岐する第１光信号分岐部と、上記他方の双方向通信用光伝送路からの下り方向の光信号を光合波部へ分岐する一方、光分波部で分波された上り方向の光信号を上記他方の双方向通信用光伝送路へ分岐する第２光信号分岐部とをそなえて構成されたことを特徴としている。
【００３８】
また、本発明に関連する技術の双方向光通信用光伝送装置は、上記光伝送装置において、光合波部および光分波部が、それぞれ、波長多重／分離型光カプラとして構成されていることを特徴としている。
さらに、本発明に関連する技術の双方向光通信用光伝送装置は、上記光伝送装置において、上記第１光信号分岐部および上記第２光信号分岐部が、それぞれ、光サーキュレータとして構成されていることを特徴としている。
【００３９】
また、本発明に関連する技術の双方向光通信用光伝送装置は、上記光伝送装置において、上記第１光信号分岐部および上記第２光信号分岐部が、それぞれ、波長多重／分離型光カプラとして構成されていることを特徴としている。
さらに、本発明に関連する技術の双方向光通信用光伝送装置は、上記光伝送装置において、上記単方向／双方向変換処理部が、一方の双方向通信用光伝送路に接続される第１入出力ポートと、上記他方の双方向通信用光伝送路に接続される第２入出力ポートと、単方向用光信号処理部の入力ポートに接続される第３入出力ポートと、単方向用光信号処理部の出力ポートに接続される第４入出力ポートとを有する波長多重／分離型光カプラとして構成されるとともに、波長多重／分離型光カプラが、第１入出力ポートに入力される上り方向の光信号と第２入出力ポートに入力される下り方向の光信号とを光波長多重して第３入出力ポートへ出力する一方、第４入出力ポートに入力される光信号処理済の光信号のうちの上り方向の光信号を第２入出力ポートへ出力するとともに下り方向の光信号を第１入出力ポートへ出力するように構成されていることを特徴としている。
【００４０】
また、本発明に関連する技術の双方向光通信用光伝送装置は、上記光伝送装置において、単方向用光信号処理部が、単方向／双方向変換処理部において単一方向化された上り方向，下り方向の各光信号についての分散を一括して補償する一括分散補償部をそなえたことを特徴としている。
さらに、本発明に関連する技術の双方向光通信用光伝送装置は、上記光伝送装置において、単方向／双方向変換処理部が、上り方向の光信号についての分散と下り方向の光信号についての分散とを個別に補償する個別分散補償部をそなえたことを特徴としている。
【００４１】
また、本発明に関連する技術の双方向光通信用光伝送装置は、上記光伝送装置において、上述の個別分散補償部が、上り方向の光信号と下り方向の光信号とを単一方向化する前に上り方向の光信号についての分散を補償する第１分散補償器と、上り方向の光信号と下り方向の光信号とを単一方向化する前に下り方向の光信号についての分散を補償する第２分散補償器とをそなえて構成されていることを特徴としている。
【００４２】
さらに、本発明に関連する技術の双方向光通信用光伝送装置は、上記光伝送装置において、上述の単方向用光信号処理部が、各波長の光信号の信号レベルを一定に保つ光信号レベル調整部をそなえたことを特徴としている。
また、本発明に関連する技術の双方向光通信用光伝送装置は、上記光伝送装置において、光信号レベル調整部が、波長単位で光信号の減衰度を調整する複数の光アッテネータとして構成されていることを特徴としている。
【００４３】
さらに、本発明に関連する技術の双方向光通信用光伝送装置は、上記光伝送装置において、上述の単方向用光信号処理部が、この単方向／双方向変換処理部で単一方向化された光信号に対して波長単位での光信号の分岐・挿入処理を施すアド・ドロップ処理部をそなえていることを特徴としている。
また、本発明に関連する技術の双方向光通信用光伝送装置は、上記光伝送装置において、上述のアド・ドロップ処理部が、入力光信号を波長毎に分波する光分波器と、この光分波器で分波された各波長の光信号を各波長毎に分岐しうる複数の分岐用光スイッチと、この分岐用光スイッチで分岐された光信号の波長と同じ波長の光信号を挿入しうる複数の挿入用光スイッチと、この挿入用光スイッチを通じて入力される各波長の光信号を合波する光合波器とをそなえて構成されていることを特徴としている。
【００４４】
さらに、本発明に関連する技術の双方向光通信用光伝送装置は、上記光伝送装置において、アド・ドロップ処理部が、分岐すべき光信号の波長に相当する周波数信号を印加することにより所望の波長の光信号を分岐する音響光チューナブルフィルタと、挿入すべき波長の光信号を発生する光源とをそなえて構成されていることを特徴としている。
また、本発明に関連する技術の双方向光通信用光伝送装置は、上記光伝送装置において、上述の単方向用光信号処理部が、この単方向／双方向変換処理部で単一方向化された光信号を増幅する光増幅器をそなえたことを特徴としている。
【００４５】
さらに、本発明に関連する技術の双方向光通信用光伝送装置は、上記光伝送装置において、上述の単方向用光信号処理部が、この単方向／双方向変換処理部で単一方向化され光信号処理済の光信号のスペクトル状態を監視するスペクトル監視部をそなえたことを特徴としている。
さらに、本発明に関連する技術の双方向光通信用光伝送装置は、上記光伝送装置において、双方向通信用光伝送路による双方向通信が不可能になった非常時に双方向通信用光伝送路に代わって双方向通信を行なうための非常時双方向通信用光伝送路に介装されるとともに、上記非常時に一方の非常時双方向通信用光伝送路を通じて入力される上り方向の光信号の流れと上記非常時に他方の非常時双方向通信用光伝送路を通じて入力される下り光信号の流れとを単一方向化して単方向用光信号処理部へ入力する一方、単方向用光信号処理部からの光信号の流れを上り方向と下り方向とに双方向化する非常時用単方向／双方向変換処理部をそなえたことを特徴としている。
【００４６】
また、本発明に関連する技術の双方向光通信用光伝送装置は、上記光伝送装置において、上述の単方向用光信号処理部が、少なくとも１つの非常時用入力ポートと１つの非常時用出力ポートとをそなえて構成されるとともに、上述の非常時用単方向／双方向変換処理部が、上記非常時に上記一方の非常時双方向通信用光伝送路を通じて入力される上り方向の光信号と上記他方の非常時双方向通信用光伝送路を通じて入力される下り方向の光信号とを単方向用光信号処理部の非常時用入力ポートへ出力する一方、単方向用光信号処理部の非常時用出力ポートから出力される光信号のうちの上り方向の光信号を上記他方の非常時双方向通信用光伝送路へ出力するとともに下り方向の光信号を上記一方の非常時双方向通信用光伝送路へ出力するように構成されていることを特徴としている。
【００４７】
さらに、本発明に関連する技術の双方向光通信用光伝送装置は、上記光伝送装置において、上述の非常時用単方向／双方向変換処理部が、上記非常時に上記一方の非常時双方向通信用光伝送路を通じて入力される上り方向の光信号と上記他方の非常時双方向通信用光伝送路を通じて入力される下り方向の光信号とを合波して単方向用光信号処理部の非常時用入力ポートへ出力する非常時用光合波部と、単方向用光信号処理部の非常時用出力ポートからの光信号を上り方向の光信号と下り方向の光信号とに分波する非常時用光分波部と、上記一方の非常時双方向通信用光伝送路からの上り方向の光信号を非常時用光合波部へ分岐する一方、非常時用分波部で分波された下り方向の光信号を上記一方の非常時双方向通信用光伝送路へ分岐する非常時用第１光信号分岐部と、上記他方の非常時双方向通信用光伝送路からの下り方向の光信号を非常時用光合波部へ分岐する一方、非常時用光分波部で分波された上り方向の光信号を上記他方の非常時双方向通信用光伝送路へ分岐する非常時用第２光信号分岐部とをそなえて構成されたことを特徴としている。
【００４８】
また、本発明に関連する技術の双方向光通信用光伝送装置は、上記光伝送装置において、非常時用光合波部および非常時用光分波部が、それぞれ、波長多重／分離型光カプラとして構成されていることを特徴としている。
さらに、本発明に関連する技術の双方向光通信用光伝送装置は、上記光伝送装置において、非常時用第１光信号分岐部および非常時用第２光信号分岐部が、それぞれ、光サーキュレータとして構成されていることを特徴としている。
【００４９】
また、本発明に関連する技術の双方向光通信用光伝送装置は、上記光伝送装置において、非常時用第１光信号分岐部および非常時用第２光信号分岐部が、それぞれ、波長多重／分離型光カプラとして構成されていることを特徴としている。
さらに、本発明に関連する技術の双方向光通信用光伝送装置は、上記光伝送装置において、上述の単方向／双方向変換処理部が、上記一方の非常時双方向通信用光伝送路に接続される非常時用第１入出力ポートと、上記他方の非常時双方向通信用光伝送路に接続される非常時用第２入出力ポートと、単方向用光信号処理部の非常時用入力ポートに接続される非常時用第３入出力ポートと、単方向用光信号処理部の非常時用出力ポートに接続される非常時用第４入出力ポートとを有する波長多重／分離型光カプラとして構成されるとともに、波長多重／分離型光カプラが、非常時用第１入出力ポートに入力される上り方向の光信号と非常時用第２入出力ポートに入力される下り方向の光信号とを光波長多重して非常時用第３入出力ポートへ出力する一方、非常時用第４出力ポートに入力される光信号のうちの上り方向の光信号を非常時用第２入出力ポートへ出力するとともに下り方向の光信号を非常時用第１入出力ポートへ出力するように構成されていることを特徴としている。
【００５０】
また、本発明に関連する技術の双方向光通信用光伝送装置は、上記光伝送装置において、上述の単方向用光信号処理部が、上記非常時には単方向／双方向変換部から入力される上り方向の光信号もしくは下り方向の光信号を非常時双方向通信用光伝送路側へ折り返しうる単方向用折り返し光スイッチをそなえるとともに、上述の非常時用単方向／双方向変換処理部が、単方向用折り返し光スイッチで折り返された上り方向の光信号を上記他方の非常時双方向通信用光伝送路へ出力する一方、単方向用折り返し光スイッチで折り返された下り方向の光信号を上記一方の非常時双方向通信用光伝送路へ出力するように構成されていることを特徴としている。
【００５１】
さらに、本発明に関連する技術の双方向光通信用光伝送装置は、上記光伝送装置において、上述の単方向用光信号処理部が、上記非常時に単方向用折り返し光スイッチで折り返された各波長の光信号の信号レベルを一定に保つ非常時光信号レベル調整部をそなえたことを特徴としている。
また、本発明に関連する技術の双方向光通信用光伝送装置は、上記光伝送装置において、非常時光信号レベル調整部が、波長単位で光信号のゲインを調整するゲインイコライザとして構成されていることを特徴としている。
【発明の効果】
【００５２】
本発明の双方向光通信用光伝送装置及び後記の付記に記載された技術によれば、以下に述べる効果ないしは利点が得られる。
本発明によれば、双方向から伝送される光信号を別々に処理しているので、処理の対象となる光信号数を削減でき、第１光信号処理部と第２光信号処理部とにおける所定の光伝送処理速度を向上させることができる利点がある（請求項１〜３）。
【００５３】
さらに、本発明によれば、通常時用の上り方向の光信号，下り方向の光信号，非常時用の上り方向の光信号，下り方向の光信号に対して、それぞれ、分散補償処理を施しているので、ノード間距離を一定にする必要がなく、光通信ネットワークを構築する際の柔軟性に寄与しうる（請求項４〜６）。
また、本発明によれば、通常時用の上り方向の光信号，下り方向の光信号，非常時用の上り方向の光信号，下り方向の光信号のスペクトル状態を１つのスペクトル監視部がまとめて監視しているので、回路構成の縮小化およびコスト削減を図ることができる（請求項７，８）。
【００５４】
さらに、本発明によれば、第１光信号処理部，第２光信号処理部が、それぞれ、光信号に対して波長単位で光信号の分岐・挿入処理を施しているので、上り方向の光信号および下り方向の光信号の情報を載せた信号を、それぞれ別々に、光の状態のままで処理することができ、本装置の処理速度を向上させることができる（請求項９，１０，１２〜１４）。
【００５５】
また、本発明によれば、音響光チューナブルフィルタを用いて光信号の分岐・挿入処理を施すこともできるので、システム構築の際の柔軟性に寄与しうる（請求項１１）。
さらに、本発明によれば、第１光信号処理部，第２光信号処理部が、それぞれ、非常時に折り返された光信号の信号レベルを一定に保っているので、光信号の波長毎のバラツキを確実に無くすことができ、精度の高い光信号を伝送することができる（請求項１５，１６）。
【００５６】
そして、本発明に関連する技術によれば、ネットワーク構成を変えることで双方向に伝送する光信号を単一方向化することができるので、既存の単方向光通信用の光伝送装置を使用して、双方向に伝送する光信号の分岐・挿入処理や非常時の折り返し処理等を正常に行なうことができ、双方向光通信用光伝送装置を低コストで実現することができるという利点がある。
【００５７】
また、本発明に関連する技術によれば、波長多重／分離型光カプラを用いて構成することができるので、回路全体のコストを削減することができ、ひいては、光伝送装置を構成する際のコストを削減することができる。
さらに、本発明に関連する技術によれば、波長多重／分離型光カプラを用いて双方向に伝送される光信号の単一方向化および双方向化を行なっているので、回路構成の簡素化を図ることができ、従って、光通信システム全体の縮小化を図ることができる利点がある。
【００５８】
また、本発明に関連する技術によれば、上り方向の光信号の分散と下り方向の光信号の分散とを一括して補償しているので、この場合も同様に、回路構成の簡素化を図ることができる。
さらに、本発明に関連する技術によれば、上り方向の光信号についての分散と下り方向の光信号についての分散とを個別に補償しているので、各ノード間の距離を一定に保つ必要がなく、自由に設定することができ、システム（ネットワーク）構築の際の柔軟性に寄与しうる。
【００５９】
また、本発明に関連する技術によれば、単方向用光信号処理部により単一方向化した光信号に対して波長単位で光信号の分岐・挿入処理を施しているので、情報を載せた信号を光の状態のままで処理することができ、本装置の処理速度を向上させることができる利点がある。
また、本発明に関連する技術によれば、単一方向化され光信号処理済の光信号のスペクトル状態を監視しているので、伝送光信号の状況を常に把握することができ、伝送光信号のパワーのバラツキ等を確実に補正したりすることができる。
【００６０】
さらに、本発明に関連する技術によれば、非常時においても通常時と同様に所定の光伝送処理を施すことができるので、常に一定のスループットを維持することができ、本装置の伝送能力の向上に寄与しうる。
また、本発明に関連する技術によれば、単方向用折り返し光スイッチによって、入力される上り方向の光信号もしくは下り方向の光信号の伝送方向を切り替えているので、通常時と非常時との伝送方向の切り分けを容易に行なうことができ、本装置の処理速度の向上に寄与しうる。
【００６１】
さらに、本発明に関連する技術によれば、非常時に折り返された光信号の信号レベルを一定に保っているので、光信号の波長のバラツキを確実に無くすことができ、精度の高い光信号を伝送することができる利点がある。
【発明を実施するための最良の形態】
【００６２】
以下、図面を参照して本発明の実施の形態を説明する。
（ａ）第１実施形態の説明
図１は本発明の第１実施形態にかかる双方向光通信用光伝送装置の構成を示すブロック図で、図１に示す双方向光通信用光伝送装置６０は、上り方向と下り方向とで異なる波長の光信号を伝送することにより双方向の光通信を行なう光ファイバ（双方向通信用光伝送路）６０ａ，６０ｂに介装され、これらの光ファイバ６０ａ，６０ｂを伝送される光信号に対して所定の光伝送処理を施すもので、光ＡＤＭ装置１，第１方向変換処理部２をそなえて構成されている。
【００６３】
ここで、光ＡＤＭ装置（単方向用光信号処理部）１は、単方向に伝送される光信号に対して所定の光信号処理を施すもので、図１においては、通常時の光信号を入力する通常時用入力ポート１ａと非常時用の光信号を入力する非常時用入力ポート１ｃの２つの入力ポートをそなえるとともに、通常時用の光信号を出力する通常時用出力ポート１ｂと非常時用の光信号を出力する非常時用出力ポート１ｄの２つの出力ポートをそなえて構成されている。なお、この光ＡＤＭ装置１の詳細については後述する。
【００６４】
また、第１方向変換処理部（単方向／双方向変換処理部）２は、通常時に伝送される光信号に所定の方向変換処理を施すもので、具体的には、第１光信号（上り方向に伝送される光信号）と第２光信号（下り方向に伝送される光信号）の各光信号の流れを単一方向化して光ＡＤＭ装置１へ入力する一方、この光ＡＤＭ装置１からの光信号の流れを第１光信号と第２光信号とに双方向化するものである。
【００６５】
なお、本実施形態では、上り方向に伝送される光信号（第１光信号）の波長をλ1〜λ4とし、下り方向に伝送される光信号（第２光信号）の波長をλ5〜λ8とし、計８波の光信号を用いて光通信を行なうものとする。
即ち、光ファイバ６０ａを通じて入力される第１光信号（λ1〜λ4）と光ファイバ６０ｂを通じて入力される第２光信号（λ5〜λ8）とを光ＡＤＭ装置１の通常用入力ポート１ａへ入力する一方、光ＡＤＭ装置１の通常用出力ポート１ｂから出力される光信号のうちの第１光信号を光ファイバ６０ｂへ出力するとともに、第２光信号を光ファイバ６０ａへ出力するようになっている。
【００６６】
そのため、この第１方向変換処理部２は、例えば、光カプラ２０，２１，光サーキュレータ２２，２３，分散補償器２４，２５をそなえて構成されている。
ここで、光カプラ（光合波部；１×２ＷＤＭ光カプラ）２０は、第１光信号と第２光信号とを合波して光ＡＤＭ装置１の通常用入力ポート１ａへ出力するものであり、光カプラ（光分波部；１×２ＷＤＭ光カプラ）２１は、光ＡＤＭ装置１の通常用出力ポート１ｂからの光信号処理済の光信号を第１光信号と第２光信号に分波するものである。なお、これらの光カプラ２０，２１は、それぞれ、波長多重／分離型光カプラとして構成されている。
【００６７】
つまり、この光カプラ２０によって第１光信号と第２光信号とを合波しているので、光ＡＤＭ装置１に設けられた１つの入力ポート（通常用光入力ポート１ａ参照）で双方向の光信号を入力することができるのである。また、光カプラ２１によって第１光信号と第２光信号とを分岐しているので、光ＡＤＭ装置１の出力側に出力ポート（通常用光出力ポート１ｂ参照）を１つ設けるだけで双方向の光信号を出力することができるのである。
【００６８】
また、光サーキュレータ（第１光信号分岐部）２２は、光ファイバ６０ａからの第１光信号を後述する分散補償器２４を介して光カプラ２０へ分岐する一方、光カプラ２１で分波された第２光信号を光ファイバ６０ａへ分岐するものであり、光サーキュレータ（第２光信号分岐部）２３は、光ファイバ６０ｂからの第２光信号を後述する分散補償器２５を介して光カプラ２０へ分岐する一方、光カプラ２１で分波された第２光信号を光ファイバ６０ｂへ分岐するものである。
【００６９】
さらに、上述の分散補償器（第１分散補償器）２４は、第１光信号と第２光信号とを単一方向化する前に第１光信号についての分散を補償するものであり、分散補償器２５は、第１光信号と第２光信号とを単一方向化する前に第２光信号についての分散を補償するものである。即ち、これらの分散補償器２４，２５は、第１光信号についての分散と第２光信号についての分散とを個別に補償する個別分散補償部として構成されている。
【００７０】
なお、上述の分散補償器２４，２５には分散補償ファイバ（ＤＣＦ）を用いてもよく、ファイバブラッググレーティングを用いてもよい。また、上述の分散補償器２４，２５は、光ファイバ６０ａ，６０ｂがシングルモードファイバ（ＳＭＦ）である場合に、伝送する光信号がこの伝送路（ＳＭＦ）の分散の影響を受けるため、設けられる。
従って、光ファイバ６０ａ，６０ｂが分散シフトファイバ（ＤＳＦ）として構成されていれば、これらの分散補償器２４，２５は挿入しなくてもよい。また、光信号の伝送速度が２．５Ｇｂ／ｓ以下である場合には、分散を補償することなく長距離伝送ができるので、この場合も、分散補償器２４，２５を挿入しなくてよい。
【００７１】
このように、第１方向変換処理部２では、光ファイバ６０ａを通じて入力されてくる第１光信号と光ファイバ６０ｂを通じて入力されてくる第２光信号とを単一方向化して光ＡＤＭ装置１へ入力することができるとともに、光ＡＤＭ装置１からの出力を第１信号と第２信号とに双方向化することができるようになっている。
即ち、双方向光通信用光伝送装置６０では、双方向の光信号を単方向にまとめることができるので、既存の光ＡＤＭ装置１をそのまま使用することができる。
【００７２】
また、図１に示す符号３は第２方向変換処理部で、この第２方向変換処理部（非常時用単方向／双方向変換処理部）３は、光ファイバ６０ａ，６０ｂによる双方向通信が不可能になった非常時に光ファイバ６０ａ，６０ｂに代わって双方向通信を行なうためのProtection用の光ファイバ（非常時双方向通信用光伝送路）６０ｃ，６０ｄに介装され、非常時にProtection用の光ファイバ６０ｃ，６０ｄを通じて伝送されてくる光信号に所定の方向変換処理を施すようになっている。
【００７３】
具体的に、この第２方向変換処理部３は、非常時に光ファイバ６０ｃを通じて入力される第１光信号（λ1〜λ4）の流れと非常時に光ファイバ６０ｄを通じて入力される第２光信号（λ5〜λ8）の流れとを単一方向化して光ＡＤＭ装置１へ入力する一方、光ＡＤＭ装置１からの光信号の流れを第１信号と第２信号とに双方向化するものである。
即ち、非常時に光ファイバ６０ｃを通じて入力される第１光信号と光ファイバ６０ｄを通じて入力される第２光信号とを光ＡＤＭ装置１の非常時用入力ポート１ｃへ出力する一方、光ＡＤＭ装置１の非常時用出力ポート１ｄから出力される光信号のうちの第１光信号を光ファイバ６０ｄへ出力するとともに、第２光信号を光ファイバ６０ｃへ出力するようになっている。
【００７４】
そのため、この第２方向変換処理部３は、例えば、光カプラ３０，３１，光サーキュレータ３２，３３，分散補償器３４，３５をそなえて構成されている。
ここで、光カプラ（非常時用光合波部）３０は、非常時に光ファイバ６０ｃを通じて入力される第１光信号と光ファイバ６０ｄを通じて入力される第２光信号とを合波して光ＡＤＭ装置１の非常時用入力ポート１ｃへ出力するものであり、光カプラ（非常時用光分波部）３１は、光ＡＤＭ装置１の非常時用出力ポート１ｄからの光信号を第１光信号と第２光信号とに分波するものである。なお、これらの光カプラ３０，３１も、それぞれ、波長多重／分離型光カプラとして構成されている。
【００７５】
また、光サーキュレータ（非常時用第１光信号分岐部）３２は、光ファイバ６０ｃからの第１光信号を後述する分散補償器３４を介して光カプラ３０へ分岐する一方、光カプラ３１で分波された第２光信号を光ファイバ６０ｃへ分岐するものである。光サーキュレータ（非常時用第２光信号分岐部）３３は、光ファイバ６０ｄからの第２光信号を後述する分散補償器３５を介して光カプラ３０へ分岐する一方、光カプラ３１で分波された第１光信号を光ファイバ６０ｄへ分岐するものである。
【００７６】
さらに、分散補償器３４は、第１光信号と第２光信号とを単一方向化する前に第１光信号についての分散を補償するものであり、分散補償器３５は、第１光信号と第２光信号とを単一方向化する前に第２光信号についての分散を補償するものである。即ち、これらの分散補償器３４，３５も上述の分散補償器２４，２５と同様に、第１光信号についての分散と第２光信号についての分散とを個別に補償する個別分散補償部として構成されている。
【００７７】
このように、第２方向変換処理部３では、非常時に光ファイバ６０ｃを通じて入力されてくる第１光信号と、非常時に光ファイバ６０ｄを通じて入力されくる第２光信号との光信号の流れを単一方向化して光ＡＤＭ装置１へ入力することができるとともに、光ＡＤＭ装置１からの出力を第１信号と第２信号とに双方向化することができるようになっている。つまり、非常時には、第１方向変換処理部２と同様の方向変換処理を、この第２方向変換処理部３により行なうことができるのである。
【００７８】
ところで、上述の図１に示す光ＡＤＭ装置１は、例えば、図２に示すように、通常時用の光ファイバ６０ａ，６０ｂ上に、光スイッチ１０１，光カプラ１０２，監視信号受信部（ＳＶＯＲ）１０３，光増幅器１０４，リニアＡＤＭ部１０５，光カプラ１０６，監視信号送信部（ＳＶＯＳ）１０７，光スイッチ１０８，光増幅器１０９，光カプラ１１０，光スペクトルモニタ１１１をそなえて構成されている。
【００７９】
ここで、光スイッチ（単方向用折り返し光スイッチ；２×２スイッチ）１０１は、非常時において第１方向変換処理部２から入力される第１光信号，第２光信号を非常時用光ファイバ６０ｄへ折り返しうるもので、通常時にこの光スイッチ１０１に入力された光信号はスルー（通過）するようになっている。
このため、上述の第２方向変換処理部３では、光スイッチ１０１で折り返された第１の光信号を光カプラ３１によって分波して光ファイバ６０ｄへ出力する一方、光スイッチ１０１で折り返された第２光信号を光カプラ３１によって分波して光ファイバ６０ｃへ出力することになる。
【００８０】
また、光カプラ（２×１光カプラ）１０２は、光スイッチ１０１を介して伝送される光信号を監視信号受信部（ＳＶＯＲ）１０３へ一部分波するものである。
さらに、監視信号受信部（ＳＶＯＲ）１０３は、光カプラ１０２において一部分波された光信号からＳＶ信号（Supervisor；監視信号）を読み取るもので、ＳＶ信号の中に設定されている光信号の速度，波長，折り返し指示などの伝送光信号に関する情報に基づいて、後述するリニアＡＤＭ部１０５での光信号の分岐・挿入や光スイッチ１０１，１０８の切り替え（折り返し）などの処理が制御されるようになっている。
【００８１】
また、光増幅器１０４は、上述の第１方向変換処理部２で単一方向化されて入力される光信号〔第１光信号（λ1〜λ4），第２光信号（λ5〜λ8）〕を増幅するもので、ここでは、光カプラ１０２を介して伝送される光信号を増幅するようになっている。
さらに、リニアＡＤＭ部（アド・ドロップ処理部）１０５は、第１方向変換処理部２で単一方向化された第１光信号および第２光信号に対して波長単位での光信号の分岐・挿入処理（アド・ドロップ処理）を施すもので、光分波器４５，分岐用光スイッチ４６−１〜４６−ｎ，挿入用光スイッチ４７−１〜４７−ｎ，光アッテネータ４８−１〜４８−ｎ，光合波器４９をそなえて構成されている。
【００８２】
ここで、光分波器４５は、入力光信号を波長毎に分波するもので、例えば、ｎ波（ｎは自然数）に分波される場合には、光分波器４５のｎ個の出力ポートから各波長の光信号がそれぞれ出力されるようになっている。
また、分岐用光スイッチ（１×２光スイッチ）４６−１〜４６−ｎは、光分波器４５における出力ポート数ｎに対応して設けられており、それぞれ、光分波器４５で分波された各波長の光信号を各波長毎に分岐（Ｄｒｏｐ）しうるものである。
【００８３】
さらに、挿入用光スイッチ（２×１光スイッチ）４７−１〜４７−ｎは、それぞれ、分岐用光スイッチ４６−１〜４６−ｎで分岐された光信号の波長と同じ波長の光信号を挿入（Ａｄｄ；合波）しうるものである。
また、光アッテネータ４８−１〜４８−ｎは、それぞれ、波長単位で光信号の減衰度を調整するもので、波長の光信号の信号レベルを一定に保つ光信号レベル調整部として機能するようになっている。即ち、この光アッテネータ４８−１〜４８−ｎは、分岐・挿入処理を施した後の光信号において、波長毎にパワーのバラツキがある場合にそのバラツキを無くすことができるようになっているのである。
【００８４】
さらに、光合波器４９は、挿入用光スイッチ４７−１〜４７−ｎを通じて入力される各波長の光信号を合波するものである。
つまり、このリニアＡＤＭ部１０５では、２つのマルチプレクサ（光分波器４５，光合波器４９）の間に光スイッチ、即ち、分岐用光スイッチ４６−１〜４６−ｎおよび挿入用光スイッチ４７−１〜４７−ｎを配置し、任意波長のＡｄｄ・Ｄｒｏｐ（挿入分岐）処理を行なうようになっているのである。
【００８５】
また、監視信号送信部（ＳＶＯＳ）１０７は、光ファイバ６０ａ，６０ｂを伝送する光信号の状態を表す情報（ＳＶ信号）を生成するもので、本光ＡＤＭ装置１で光通信を行なっている光信号の波長（λ1〜λ8）とは別の波長（例えば、λ9）によってその情報を重畳するようになっている。
さらに、光カプラ（２×１光カプラ）１０６は、リニアＡＤＭ部１０５からの光信号にこのＳＶＯＳ１０７からのＳＶ信号を重畳するものである。光スイッチ（単方向用折り返し光スイッチ；２×２スイッチ）１０８は、上述の光スイッチ１０１と同様に、障害が発生したときに、非常時用の伝送路である光ファイバ６０ｄに光信号を折り返すためのもので、通常時はスルーするようになっている。
【００８６】
また、光増幅器１０９は、光スイッチ１０８を介して伝送される光信号を増幅するものであり、光カプラ（１×２光カプラ）１１０は、光増幅器１０９によって増幅された光信号を一部分岐するものである。
さらに、光スペクトルモニタ（スペクトル監視部）１１１は、第１方向変換処理部２で単一方向化され、リニアＡＤＭ部１０５によってアド・ドロップ処理された光信号（光信号処理済の光信号）のスペクトル状態を監視するもので、この監視中に波長のずれや信号のパワーのバラツキ等のスペクトル異常があると、リニアＡＤＭ部１０５の光アッテネータ４８−１〜４８−ｎが調節されて、スペクトルが正常に補正されるようになっている。
【００８７】
一方、非常時用の光ファイバ６０ｃ，６０ｄ上には、例えば、光スイッチ１０８，光カプラ１１２，監視信号受信部（ＳＶＯＲ）１１３，光カプラ１１４，監視信号送信部（ＳＶＯＳ）１１５，光スイッチ１０１，光増幅器１１６，光カプラ１１７，光スペクトルモニタ１１８，ゲインイコライザ１１９が設けられている。なお、既述の符号と同一の符号を付したものはそれぞれ前述したものと同様のものであるため、詳細な説明は省略する。
【００８８】
ここで、光カプラ１１２は、光スイッチ１０８を介して伝送される光信号を一部分波するものであり、監視信号受信部（ＳＶＯＲ）１１３は、光カプラ１１２において分波された一部の光信号を受信し、ＳＶ信号を読み取るもので、非常時に入力されてくる光信号に対し、光リニアＡＤＭ部１０５による処理を行なうか否か、あるいは光スイッチ１０８により折り返すか否かの判断を行なっている。
【００８９】
また、監視信号送信部（ＳＶＯＳ）１１５は、光ファイバ６０ｃ，６０ｄを伝送する光信号の状態を表す情報（ＳＶ信号）を生成するもので、ＳＶＯＳ１０７と同様に、本光ＡＤＭ装置１で光通信を行なっている光信号とは別の波長の光信号にその情報を重畳するようになっている。さらに、光カプラ１１４は、光カプラ１１２からの光信号に上述のＳＶＯＳ１１５からのＳＶ信号を重畳するものである。
【００９０】
また、光増幅器１１６は、光スイッチ１０１を介して伝送される光信号を増幅するものであり、光カプラ１１７は、光増幅器１１６によって増幅された光信号を一部分岐するものであり、光スペクトルモニタ（スペクトル監視部）１１１は、非常時に、光ファイバ６０ｃ，６０ｄ上を伝送する光信号のスペクトル状態を監視するものである。
さらに、ゲインイコライザ１１９は、波長単位で光信号のゲインを調整するもので、非常時に光スイッチ１０１，１０８で折り返された各波長の光信号の信号レベルを一定に保つ非常時光信号レベル調整部として機能するものである。なお、このゲインイコライザ１１９は、光増幅器１１６の中に設けるようにしてもよく、この場合、図２に示すように、最終出力段に設けなくてもよい。
【００９１】
また、各部１０１〜１１９の処理は、図示しない制御部によって制御されている。そのため、光スペクトルモニタ１１１，１１８では、その回路構成を複雑化することなく容易に構成でき、第１光信号，第２光信号（合計８波）を同時に観測することができるのである。
なお、上述の光ＡＤＭ装置１において設けられている光増幅器１０４，１０９，１１６は、必要に応じて台数を変えることもできる。即ち、光信号のパワーが充分ある場合は挿入しなくてもよく、光信号のパワーが足りない場合は、追加するようにしてもよい。
【００９２】
また、上述のリニアＡＤＭ部１０５においては、図２に示すように、２つの分波器４０，合波器４４の間に光スイッチ（分岐スイッチ４１−１〜４１−ｎ，挿入スイッチ４２−１〜４２−ｎ）を配置するようにして、光信号の分岐・挿入処理を行なっているが、例えば、図３に示すように、ＡＯＴＦ（Acousto-Optical Tunable Filter；音響光チューナブルフィルタ）７を用いて光信号の分岐・挿入処理を行なうこともできる。
【００９３】
具体的に、この場合のリニアＡＤＭ部１０５は、入力するＲＦ（ラジオ周波数）信号の周波数を制御することにより、それに対応した光の波長を分岐および挿入するようになっている。
また、上述のＡＯＴＦ７は、分岐すべき光信号の波長に相当する周波数信号を印加することにより所望の波長の光信号を分岐するもので、例えば、図４に示すように、ニオブ酸リチウム（ＬｉＮｂＯ3）からなる基盤上に、光入力ポート７０，光導波路７２，くし形電極（ＩＤＴ）７３，ＳＡＷクラッド部７４，偏波分離部（ＰＢＳ；Polarization beam split ）７５，光出力ポート７６，７７をそなえて構成するもので、オーバーラップしている表面弾性波と光の導波路との両者の干渉により、一部の波長の光を取り出すことができるようになっている。
【００９４】
つまり、このＡＯＴＦ７は、入力ポート７０（ＩＮ）から光信号が入力されてくると、光導波路７２を伝送し、例えば、分岐したい光信号の波長がλ1，λ4である場合には、その波長に対応したＲＦ周波数ｆ1とｆ4をＲＦ信号発振器７８から入力し、オーバーラップしている表面弾性波と光導波路７２とから表面弾性波（ＳＡＷ；Surface acoustic wave ）を発生させて、ＳＡＷクラッド部７４を伝搬し、光信号の偏波を変換する。
【００９５】
また、この偏波変換された光信号は、ＰＢＳ７５によって分離（偏波分離）され、この偏波分離された波長（λ1とλ4）の光信号が選択光として光出力ポート７７（Ｄｒｏｐ）から出力されるのである。
さらに、選択されなかった波長の光信号は非選択光として光出力ポート７６（Ｔｈｒｏｇｈ）から出力されるようになっている。即ち、ＲＦ周波数を変えることによってそれに対応した波長の光信号を分岐・挿入することができるのである。
【００９６】
具体的に、図３に示すリニアＡＤＭ部１０５は、光ファイバ６０ａ，６０ｂ上に、上述したＡＯＴＦ７のほかに、光カプラ９ａ，光増幅器４，分散補償器５，光増幅器６，光増幅器８，光カプラ８ａ，９ｂをそなえて構成され、さらには、上述のＡＯＴＦ７から分岐された波長の光信号に所定の処理を施す処理部７Ａが設けられている。即ち、このリニアＡＤＭ部１０５では、ＡＯＴＦ７によって分岐された光信号をこの処理部７Ａによって生成して光ファイバ６０ａ，６０ｂに挿入している。
【００９７】
そして、この処理部７Ａには、光増幅器１１，１×８光カプラ１２，可変バンドパスフィルタ１３−１〜１３−８，電気ＡＤＭ（Ｅ−ＡＤＭ）１４，光信号生成部（ＬＤｂａｎｋ）１５，１×８光カプラ１６，光増幅器１７，分散補償器１８が設けられている。
つまり、このリニアＡＤＭ部１０５では、入力されてくる光信号を光増幅器（Pre-amp ）４において増幅し、分散補償器（ＤＣＦ）５において光信号の分散を補償したのち、さらに、光増幅器（Pre-amp ）６においてこの光信号を増幅する。
【００９８】
そして、ＡＯＴＦ７において分岐された光信号を光増幅器１１にて増幅し、１×８光カプラ１２によってこの波長λ１  〜λ８  の光信号を８等分に分岐したのち、可変バンドパスフィルタ１３−１〜１３−８においてそれぞれ波長別に分離する。即ち、ここで、通過する波長を任意に設定できるようになっている。
その後、この波長別に分離された光信号は、Ｅ−ＡＤＭ１４に設けられた受信部（ＲＸ）１４０−１〜１４０−８にて受信し、電気信号に変換したのち、送信部（ＴＸ）１４１−１〜１４１−８にて後述するＬＤｂａｎｋ１５に送信する。
【００９９】
さらに、ＬＤｂａｎｋ１５において、ＡＯＴＦ７によって分岐された光信号に所定の光信号を用いて再変調を施す。具体的に、このＬＤｂａｎｋ１５は、光源駆動回路１５０，光源ユニット（LD unit）１５１，８×８光カプラ１５２，再変調部（Remodulator）１５３−１〜１５３−８をそなえて構成されている。
つまり、このＬＤｂａｎｋ１５は、光源駆動回路１５０により光源ユニット１５１を駆動させると、光源ユニット１５１から挿入すべき波長λ1〜λ8の光信号が発生し、８×８光カプラ１５２において、この互いに異なる波長λ1〜λ8の光信号を合波してから８等分する。
【０１００】
その後、再変調部１５３−１〜１５３−８において、Ｅ−ＡＤＭ１４からの波長別に分離された電気信号に基づいてそれぞれ再変調する。なお、この再変調処理は、電気／光変換部（Ｅ／Ｏ）１５３ａ，変調器１５３ｂ，増幅器１５３ｃ，可変バンドパスフィルタ１５３ｄによって行なわれる。
即ち、電気／光変換部（Ｅ／Ｏ）１５３ａにおいてＥ−ＡＤＭ１４からの電気信号を光信号に変換し、変調器１５３ｂにおいては８×８光カプラ１５２からの光信号を上記光変換されたデータを用いて再変調したのち、増幅器１５３ｃにおいて増幅し、可変バンドパスフィルタ１５３ｄにおいて光ファイバ６０ｂに挿入したい波長λ1〜λ8の光信号を任意に選択する。
【０１０１】
その後、この任意に選択された波長の光信号は、１×８光カプラ１６にて合波され、光増幅器（Post-amp）１７によって増幅されたのち、分散補償器１８によって分散が補償されて、光カプラ８ａを介して光ファイバ６０ｂに挿入されるのである。そして、挿入された光信号は、光増幅器（Post-amp）８による増幅処理を施されたのち、光ファイバ６０を伝送される。
【０１０２】
また、このリニアＡＤＭ部１０５では、光ファイバ６０ａ，６０ｂを伝送する光信号のスペクトル状態を監視する光スペクトルモニタ１０が設けられている。なお、この光スペクトルモニタ１０で監視される光信号は、光ファイバ６０ａ，６０ｂ上の光カプラ９ａ，９ｂにより一部分岐して得られたものである。
つまり、リニアＡＤＭ部１０５にこのＡＯＴＦ７を用いた場合でも、分岐・挿入処理を有効に行なうことができるのである。
【０１０３】
なお、光信号の分岐・挿入処理は、ＡＯＴＦ７のほかに、例えば、導波路型回折格子（ＡＷＧ；Arrayed Waveguide Grating）やファイバブラッググレーティングを使用するようにしてもよい。
以下、上述のごとく構成された本発明の第１実施形態にかかる双方向光通信用光伝送装置６０の動作について、図５〜図８を用いて説明する。なお、図中、太線で示す部分が光信号の流れである。
【０１０４】
（ａ１）通常時の動作
まず、双方向光通信用光伝送装置６０では、通常時、図５に示すように、第１光信号（λ1〜λ4）が光ファイバ６０ａを通じて入力されてくると、この第１光信号を光サーキュレータ２２によって分散補償器２４側へ分岐し、分散補償器２４によって分散を補償して光カプラ２０へ送信する。
【０１０５】
一方、第２光信号（λ5〜λ8）が光ファイバ６０ｂを通じて入力されてくると、この第２光信号を光サーキュレータ２３によって分散補償器２５側へ分岐し、分散補償器２５によって分散を補償して光カプラ２０へ送信する。
すると、光カプラ２０では、分散補償器２４からの第１光信号と分散補償器２５からの第２光信号とを合波して単一方向化したのち、光ＡＤＭ装置１の通常時用入力ポート１ａから入力し、光ＡＤＭ装置１によってこの２つの光信号に所定の光信号処理を施す。なお、この光ＡＤＭ装置１における光信号処理については後述することにする。
【０１０６】
その後、この光ＡＤＭ装置１の通常時用出力ポート１ｂから光信号処理済の光信号が出力されると、この光信号を光カプラ２１において双方化する。即ち、第１光信号を光サーキュレータ２３側へ分波するとともに、第２光信号を光サーキュレータ２２側へ分波する。その後、光サーキュレータ２３によって、この第１光信号を光ファイバ６０ｂへ出力する一方、光サーキュレータ２２によって、上記第２光信号を光ファイバ６０ａへ出力する。
【０１０７】
なお、このとき、上述の光ＡＤＭ装置１では、図２に示すように、通常時においては、双方向化されて伝送されてきた第１光信号，第２光信号は、通常時用入力ポート１ａから入力されると、光スイッチ１０１をスルーしたのち、光カプラ１０２において光信号の一部をＳＶＯＲ１０３に送信し、ＳＶＯＲ１０３によって何れの波長の光信号を分岐すべきかを選択する。
【０１０８】
その後、光ＡＤＭ装置１では、光増幅器１０４において光信号を増幅したのち、リニアＡＤＭ部１０５において、上記ＳＶＯＲ１０３によって選択された波長の光信号を分岐し、この分岐された波長の光信号を挿入する。続いて、この分岐・挿入処理を施した光信号は、光カプラ１０６において、ＳＶＯＳ１０７からのＳＶ信号を重畳したのち、光スイッチ１０８をスルーし、光増幅器１０９で増幅する。
【０１０９】
それから、光カプラ１１０にて光信号の一部を光スペクトルモニタ１１１に分岐するとともに、次の光ＡＤＭ装置（図示略）に送信する。光スペクトルモニタ１１１では、波長のずれや信号の分岐・挿入の状態を監視する。
（ａ２）通常時の伝送路の入力側近傍において障害が発生した場合
ここで、図１に示す双方向光通信用光伝送装置６０と、この双方向光通信用光伝送装置６０の光ファイバ６０ａ，６０ｄと接続されて隣接する双方向光通信用光伝送装置（図示略；６０Ａとする）との間において障害が発生して通信断となった場合における双方向光通信用光伝送装置６０の動作について、図６を用いて説明する。
【０１１０】
この場合、光ファイバ６０ａからは第１光信号が入力されず、光ファイバ６０ｃから入力される。即ち、通信断となった光ファイバ６０ａ，６０ｄに接続されている双方向光通信用光伝送装置６０Ａにて折り返された第１光信号がネットワークリング上の他の双方向光通信用光伝送装置（図示略）を介してこの双方向光通信用光伝送装置６０の非常時用の光ファイバ６０ｃから入力される。
【０１１１】
そして、光ファイバ６０ｃから第１光信号が入力されると、この第１光信号を光サーキュレータ３２において分岐し、分散補償器３４によって分散を補償したのち、光カプラ３０を介して光ＡＤＭ装置１の非常時用入力ポート１ｃへ入力する。
すると、光ＡＤＭ装置１において、この第１光信号は、光スイッチ１０８をスルーし、ＳＶＯＲ１１３において、光カプラ１１２によって一部分岐されて受信した光信号からＳＶ信号を読み取り、この第１光信号に分岐・挿入処理を施すか否かを検出する。
【０１１２】
その結果、分岐・挿入処理を施さない場合は、この第１光信号を光スイッチ１０８により光ファイバ６０ｂ側へ折り返し、光増幅部１０９により増幅したのち、光カプラ１１０を介して、通常時用出力ポート１ｂから出力する。
また、分岐・挿入処理を施す場合、例えば、全ての波長の光信号を分岐する場合は、光カプラ１１４によって第１光信号にＳＶ信号を重畳したのち、光スイッチ１０１によって光ファイバ６０ｂ側へ折り返し、通常時と同様に光カプラ１０２，ＳＶＯＲ１０３，増幅器１０４による処理を経て、リニアＡＤＭ部１０５によって全ての信号を分岐して受信する。
【０１１３】
なお、一部の波長の光信号の分岐・挿入処理する場合、第１光信号をリニアＡＤＭ部１０５によって通常時と同様に分岐・挿入処理を施し、光カプラ１０６によってＳＶ信号を重畳したのち、光スイッチ１０８をスルーし、光増幅部１０９，光カプラ１１０，光スペクトルモニタ１１１による処理を施したのち、通常時用出力ポート１ｂから出力する。
その後、この通常時用出力ポート１ｂから出力した第１光信号は、図６に示すように、光カプラ２１，光サーキュレータ２３を介して光ファイバ６０ｂから出力される。
【０１１４】
一方、第２光信号については、光ファイバ６０ｂから入力される。その後、この第２光信号を光サーキュレータ２３において分岐し、分散補償器２５によって分散を補償したのち、光カプラ２０を介して光ＡＤＭ装置１の通常時用入力ポート１ａから入力する。
すると、光ＡＤＭ装置１において、この第２光信号は、光スイッチ１０１をスルーし、ＳＶＯＲ１０３において、光カプラ１０２によって一部分岐されて受信した光信号からＳＶ信号を読み取り、この第２光信号に分岐・挿入処理を施すか否かを検出する。
【０１１５】
その結果、分岐・挿入処理を施さない場合は、この第２光信号を光スイッチ１０１により光ファイバ６０ｄ側へ折り返し、光増幅部１１６により増幅したのち、光カプラ１１７を介して、非常時用出力ポート１ｄから出力する。
また、分岐・挿入処理を施す場合、例えば、全ての波長の光信号を分岐する場合は、通常時と同様に光カプラ１０２，ＳＶＯＲ１０３，増幅器１０４による処理を経て、リニアＡＤＭ部１０５によって全ての信号を分岐して受信する。
【０１１６】
なお、一部の波長の光信号の分岐・挿入処理する場合、第２光信号をリニアＡＤＭ部１０５によって通常時と同様に分岐・挿入処理を施し、光カプラ１０６によってＳＶ信号を重畳したのち、光スイッチ１０８を光ファイバ６０ｄ側へ折り返し、光カプラ１１２，１１４，光スイッチ１０１，光増幅器１１６，光カプラ１１７，光スペクトルモニタ１１８を介したのち、ゲインイコライザ１１９によって光信号のゲインを調整して非常時用出力ポート１ｄから出力する。
【０１１７】
その後、この出力された第２光信号は、図６に示すように、光カプラ３１，光サーキュレータ３２を介して光ファイバ６０ｃから出力される。
即ち、双方向光通信用光伝送装置６０，６０Ａ間において通信断となった場合には、通常時用の光ファイバ６０ｂと非常時用の光ファイバ６０ｃとを使用して光通信を行なうようになっている。
【０１１８】
（ａ３）通常時の伝送路の出力側近傍において障害が発生した場合
次に、図１に示す双方向光通信用光伝送装置６０と、この双方向光通信用光伝送装置６０の光ファイバ６０ｂ，６０ｃと接続されて隣接する双方向光通信用光伝送装置（図示略；６０Ｂとする）との間において障害が発生して通信断となった場合における双方向光通信用光伝送装置６０の動作について、図７を用いて説明する。
【０１１９】
この場合、第１光信号は、光ファイバ６０ａから入力される。その後、この第１光信号を光サーキュレータ２２において分岐し、分散補償器２４によって分散を補償したのち、光カプラ２０を介して光ＡＤＭ装置１の通常時用入力ポート１ａから入力する。
すると、光ＡＤＭ装置１において、この第１光信号は、光スイッチ１０１をスルーし、ＳＶＯＲ１０３において、光カプラ１０２によって一部分岐されて受信した光信号からＳＶ信号を読み取り、この第１光信号に分岐・挿入処理を施すか否かを検出する。
【０１２０】
その結果、分岐・挿入処理を施さない場合は、この第１光信号を光スイッチ１０１により光ファイバ６０ｄ側へ折り返し、光増幅部１１６により増幅したのち、光カプラ１１７を介して、非常時用出力ポート１ｄから出力する。
また、分岐・挿入処理を施す場合、例えば、全ての波長の光信号を分岐する場合は、通常時と同様に光カプラ１０２，ＳＶＯＲ１０３，増幅器１０４による処理を経て、リニアＡＤＭ部１０５によって全ての信号を分岐して受信する。
【０１２１】
なお、一部の波長の光信号の分岐・挿入処理する場合、第１光信号をリニアＡＤＭ部１０５によって通常時と同様に分岐・挿入処理を施し、光カプラ１０６によってＳＶ信号を重畳したのち、光スイッチ１０８を光ファイバ６０ｄ側へ折り返し、光カプラ１１２，１１４，光スイッチ１０１，光増幅器１１６，光カプラ１１７，光スペクトルモニタ１１８を介したのち、ゲインイコライザ１１９によって光信号のゲインを調整して非常時用出力ポート１ｄから出力する。
【０１２２】
一方、第２光信号については、光ファイバ６０ｂからは入力されず、光ファイバ６０ｄから入力される。即ち、通信断となった光ファイバ６０ｂ，６０ｃに接続されている双方向光通信用光伝送装置６０Ｂにて折り返された第２光信号がネットワークリング上の他の双方向光通信用光伝送装置（図示略）を介してこの双方向光通信用光伝送装置６０の非常時用の光ファイバ６０ｄから入力される。
【０１２３】
そして、光ファイバ６０ｄから第２光信号が入力されると、この第２光信号を光サーキュレータ３３において分岐し、分散補償器３５によって分散を補償したのち、光カプラ３０を介して光ＡＤＭ装置１の非常時用入力ポート１ｃへ入力する。
すると、光ＡＤＭ装置１において、この第２光信号は、光スイッチ１０８をスルーし、ＳＶＯＲ１１３において、光カプラ１１２によって一部分岐されて受信した光信号からＳＶ信号を読み取り、この第２光信号に分岐・挿入処理を施すか否かを検出する。
【０１２４】
その結果、分岐・挿入処理を施さない場合は、この第２光信号を光スイッチ１０８により光ファイバ６０ｂ側へ折り返し、光増幅部１０９，光カプラ１１０を介して通常時用出力ポート１ｂから出力する。
また、分岐・挿入処理を施す場合、例えば、全ての波長の光信号を分岐する場合は、光カプラ１１４によってＳＶ信号を重畳したのち、光スイッチ１０１によって光ファイバ６０ｂ側へ折り返し、通常時と同様に各部１０２〜１０４による処理を経て、リニアＡＤＭ部１０５によって全ての信号を分岐して受信する。
【０１２５】
なお、一部の波長の光信号の分岐・挿入処理する場合は、リニアＡＤＭ部１０５によって通常時と同様に分岐・挿入処理を施し、光カプラ１０６によってＳＶ信号を重畳したのち、光スイッチ１０８をスルーし、光増幅部１０９，光カプラ１１０，光スペクトルモニタ１１１による処理を施したのち、通常時用出力ポート１ｂから出力する。
その後、この出力された第２光信号は、光カプラ２１，光サーキュレータ２２を介して光ファイバ６０ａから出力される。
【０１２６】
即ち、双方向光通信用光伝送装置６０，６０Ｂ間において通信断となった場合、通常用の光ファイバ６０ａと非常時用の光ファイバ６０ｄとを使用して、光通信を行なうのである。
（ａ４）近傍にないある箇所において障害が発生した場合
次に、上述の双方向光通信用光伝送装置６０，６０Ａ間や双方向光通信用光伝送装置６０，６０Ｂ間ではなく、それ以外の箇所において障害が発生した場合の双方向光通信用光伝送装置６０の動作について、図８を用いて説明する。
【０１２７】
なお、ある箇所が通信断となっている場合、伝送された光信号は、通信断となった位置から折り返して伝送されるようになっているため（図６，図７参照）、双方向光通信用光伝送装置６０がその間に位置する場合、通常時用，非常時用の両方の光ファイバ６０ａ〜６０ｄを全て利用して光信号を伝送する。
即ち、第１光信号，第２光信号は、ともに、双方向（双方向光通信用光伝送装置６０Ａ側，双方向光通信用光伝送装置６０Ｂ側）から送信され、双方向へ送信するようになっている。
【０１２８】
まず、第１光信号について、双方向光通信用光伝送装置６０Ａから送信される第１光信号は、光ファイバ６０ａから入力される。その後、光サーキュレータ２２において分岐し、分散補償器２４によって分散を補償したのち、光カプラ２０を介して光ＡＤＭ装置１の通常時用入力ポート１ａから入力する。
すると、光ＡＤＭ装置１において、この第１光信号は、光スイッチ１０１をスルーし、各部１０２〜１１１によって、分岐・挿入処理を含む所定の光伝送処理を施し、通常時用出力ポート１ｂから出力される。その後、この出力された第１光信号は、光カプラ２１，光サーキュレータ２３を介して光ファイバ６０ｂから出力する。
【０１２９】
一方、双方向光通信用光伝送装置６０Ｂから送信される第１光信号は、光ファイバ６０ｃから入力される。その後、光サーキュレータ３２において分岐し、分散補償器３４によって分散を補償したのち、光カプラ３０を介して光ＡＤＭ装置１の非常時用入力ポート１ｃから入力する。
すると、光ＡＤＭ装置１において、この第１光信号は、光スイッチ１０８をスルーし、各部１１２〜１１５の各処理を施したのち、光スイッチ１０１もスルーして、各部１１６〜１１９の各処理を施したのち、非常時用出力ポート１ｄから出力される。その後、この出力された第１光信号を、光カプラ３１，光サーキュレータ３３を介して光ファイバ６０ｄから出力する。
【０１３０】
即ち、第１光信号の分岐・挿入処理は、上述の双方向光通信用光伝送装置６０Ａから通常時の光ファイバ６０ａ，６０ｂ上を伝送しているときに行なっているので、双方向光通信用光伝送装置６０Ｂから送信されたときには通過するだけでよい。つまり、光ファイバ６０ｃ，６０ｄでは、ＳＶ信号の読み書きを行なって、光信号を増幅して送出しているだけである。
【０１３１】
次に、第２光信号について、双方向光通信用光伝送装置６０Ｂから送信される第２光信号は、光ファイバ６０ｂから入力される。その後、光サーキュレータ２３において分岐し、分散補償器２５によって分散を補償したのち、光カプラ２０を介して光ＡＤＭ装置１の通常時用入力ポート１ａから入力する。
すると、光ＡＤＭ装置１において、この第２光信号は、光スイッチ１０１をスルーし、各部１０２〜１１１によって、分岐・挿入処理を含む所定の光伝送処理を施したのち、通常時用出力ポート１ｂから出力する。その後、この出力された第２光信号を、光カプラ２１，光サーキュレータ２２を介して光ファイバ６０ａから出力する。
【０１３２】
一方、双方向光通信用光伝送装置６０Ａから送信される第２光信号は、光ファイバ６０ｄを通じて入力される。その後、光サーキュレータ３３において分岐し、分散補償器３５によって分散を補償したのち、光カプラ３０を介して光ＡＤＭ装置１の非常用入力ポート１ｃから入力する。
すると、光ＡＤＭ装置１において、この第２光信号は、光スイッチ１０８をスルーし、各部１１２〜１１５の各処理を施したのち、光スイッチ１０１もスルーして、各部１１６〜１１９の各処理を施したのち、非常時用出力ポート１ｄから出力する。その後、この出力された第２光信号は、光カプラ３１，光サーキュレータ３２を介して光ファイバ６０ｃから出力される。
【０１３３】
即ち、第２光信号の分岐・挿入処理は、上述の双方向光通信用光伝送装置６０Ｂから通常時の光ファイバ６０ａ，６０ｂ上を伝送しているときに行なっているので、双方向光通信用光伝送装置６０Ａから送信されたときには通過するだけでよい。つまり、この場合も、光ファイバ６０ｃ，６０ｄは、ＳＶ信号の読み書きを行なって、光信号を増幅して送出しているだけである。
【０１３４】
このように、本発明の第１実施形態にかかる双方向光通信用光伝送装置６０によれば、ネットワーク構成を変えることで双方向に伝送する光信号を単一方向化することができるので、既存の光ＡＤＭ装置を使用して、双方向に伝送する光信号の分岐・挿入処理や非常時の折り返し処理等を正常に行なうことができ、双方向用の光ＡＤＭ装置を低コストで実現することができるという利点がある。
【０１３５】
また、第１光信号についての分散と第２光信号についての分散とを個別に補償しているので、各ノード間の距離を一定に保つ必要がなく、自由に設定することができ、システム（ネットワーク）構築の際の柔軟性に寄与しうる。
さらに、光ＡＤＭ装置１により単一方向化した光信号に対して波長単位で光信号の分岐・挿入処理を施しているので、情報を載せた信号を光の状態のままで処理することができ、本装置６０の処理速度を向上させることができる利点がある。
【０１３６】
また、上述の双方向光通信用光伝送装置６０によれば、ＡＯＴＦ７を用いて光信号の分岐・挿入処理を施すこともできるので、システム構築の際の柔軟性に寄与しうる。
さらに、単一方向化され光信号処理済の光信号のスペクトル状態を監視しているので、伝送光信号の状況を常に把握することができ、伝送光信号のパワーのバラツキ等を確実に補正したりすることができる。
【０１３７】
また、非常時においても通常時と同様に所定の光伝送処理を施すことができるので、常に一定のスループットを維持することができ、本装置６０の伝送能力の向上に寄与しうる。
さらに、上述の双方向光通信用光伝送装置６０によれば、光スイッチ１０１，１０８によって、入力される第１光信号もしくは第２光信号の伝送方向を切り替えているので、通常時と非常時との伝送方向の切り分けを容易に行なうことができ、本装置６０の処理速度の向上に寄与しうる。
【０１３８】
また、非常時に折り返された光信号の信号レベルを一定に保っているので、光信号の波長のバラツキを確実に無くすことができ、精度の高い光信号を伝送することができる利点がある。
（ｂ）第１実施形態の第１変形例の説明
また、上述の第１実施形態に示す双方向光通信用光伝送装置６０では、第１方向変換処理部２において、光サーキュレータ２２，２３を用いて双方向に伝送される光信号（第１光信号，第２光信号）を分岐しているが、例えば、図９に示す双方向光通信用光伝送装置６１のように、第１方向変換処理部２Ａにおいて、上述の光サーキュレータ２２，２３の代わりに光カプラ２６，２７を用いて構成するようにしてもよい。なお、この光カプラ２６，２７は、それぞれ、波長多重／分離型光カプラとして構成されている。
【０１３９】
つまり、光カプラ２６によって光ファイバ６０ａからの第１光信号を分散補償器２４を介して光カプラ２０へ分岐する一方、光カプラ２１で分波された第２光信号を光ファイバ６０ａへ分岐するとともに、光カプラ２７によって光ファイバ６０ｂからの第２光信号を分散補償器２５を介して光カプラ２０へ分岐する一方、光カプラ２１で分波された第２光信号を光ファイバ６０ｂへ分岐するようになっている。
【０１４０】
なお、この場合、非常時側の第２方向変換処理部３Ａにおいても、上述の第２方向変換処理部３（図１参照）に設けられた光サーキュレータ３２，３３の代わりに光カプラ３６，３７を用いて構成することができる。
そのため、非常時には、上述の光サーキュレータ３２，３３とほぼ同様に、動作するようになっている。また、この光カプラ３６，３７も波長多重／分離型光カプラとして構成されている。
【０１４１】
このように、上述の双方向光通信用光伝送装置６１によれば、光カプラ２６，２７，３６，３７を用いて構成することができるので、高価な光サーキュレータ２２，２３，３２，３３を用いるのに比べて、回路全体のコストを削減することができ、ひいては、光伝送装置を構成する際のコストを削減することができる。
（ｃ）第１実施形態の第２変形例の説明
図１０は本発明の第１実施形態にかかる双方向光通信用伝送装置の第２変形例を示すブロック図である。
【０１４２】
上述に示す双方向光通信用光伝送装置６０，６１では、双方向に伝送される光信号を１×２ＷＤＭ光カプラ２０，２１（非常時には、光カプラ３０，３１）を用いて単方向にまとめているが、ここでは、図１０に示すように、２×２ＷＤＭ光カプラ２８（非常時には、２×２ＷＤＭ光カプラ３８）を用いて双方向光通信用光伝送装置６２を構成している。
具体的に、この図１０に示す双方向光通信用光伝送装置６２は、通常時用の光ファイバ６０ａ′，６０ｂ′と非常時用の光ファイバ６０ｃ′，６０ｄ′とに介装され、これらの光ファイバ６０ａ′〜６０ｄ′を伝送される光信号に対して所定の光伝送処理を施すもので、光カプラ２８，３８，光ＡＤＭ装置１Ｂをそなえて構成されている。
【０１４３】
ここで、光カプラ２８は、光ファイバ６０ａ′に接続される第１入出力ポート２８ａと、光ファイバ６０Ｂ′に接続される第２入出力ポート２８ｂと、光ＡＤＭ装置１Ｂの通常時用入力ポート１Ｂａに接続される第３入出力ポート２８ｃと、光ＡＤＭ装置１Ｂの通常時用出力ポート１Ｂｂに接続される第４入出力ポート２８ｄとを有する波長多重／分離型光カプラとして構成されるものである。
【０１４４】
具体的に、この光カプラ２８は、第１入出力ポート２８ａに入力される第１光信号と第２入出力ポート２８ｂに入力される第２光信号とを光波長多重して第３入出力ポート２８ｃへ出力する一方、第４入出力ポート２８ｄに入力される光信号処理済の光信号のうちの第１光信号を第２入出力ポート２８ｂへ出力するとともに第２光信号を第１入出力ポート２８ａへ出力するようになっている。
【０１４５】
即ち、この光カプラ２８は、第１光信号（即ち、波長λ1〜λ4の光信号）をスルーし、第２光信号（即ち、波長λ5〜λ8の光信号）をクロスするように構成されているので、双方向に伝送される光信号を単一方向化あるいは双方向化することができるのである。
また、光カプラ３８は、光ファイバ６０ｃ′に接続される非常時用第１入出力ポート３８ａと、光ファイバ６０ｄ′に接続される非常時用第２入出力ポート３８ｂと、光ＡＤＭ装置１Ｂの非常時用入力ポート１Ｂｃに接続される非常時用第３入出力ポート３８ｃと、光ＡＤＭ装置１Ｂの非常時用出力ポート１Ｂｄに接続される非常時用第４入出力ポート３８ｄとを有する波長多重／分離型光カプラとして構成されるものである。
【０１４６】
具体的に、この光カプラ３８は、非常時用第１入出力ポート３８ａに入力される第１光信号と非常時用第２入出力ポート３８ｂに入力される第２光信号とを光波長多重して非常時用第３入出力ポート３８ｃへ出力する一方、非常時用第４入出力ポート３８ｄに入力される光信号のうちの第１光信号を非常時用第２入出力ポート３８ｂへ出力するとともに第２光信号を非常時用第１入出力ポート３８ａへ出力するようになっている。
【０１４７】
即ち、この光カプラ３８も光カプラ２８と同様に、双方向に伝送される光信号を単一方向化あるいは双方向化することができるのである。
また、この図１０に示す光ＡＤＭ装置１Ｂは、例えば、図１１に示すように構成されている。この図１１に示す光ＡＤＭ装置１Ｂは、上述の図２に示す光ＡＤＭ装置１の構成とほぼ同様で、図２に示す光ＡＤＭ装置１とは、光ファイバ６０ａ′から入力されてくる光信号の分散を補償する分散補償器（分散補償ファイバ；ＤＣＦ）１２０と光ファイバ６０ｃ′から入力されてくる光信号の分散を補償する分散補償器１２１とを設けた点が異なる。
【０１４８】
なお、上述の分散補償器１２０，１２１は、単一方向化された第１光信号と第２光信号についての分散を一括して補償する一括分散補償部として機能するようになっている。
即ち、ここでは、双方向の光信号を光カプラ２８，３８においてまとめてから光ＡＤＭ装置１Ｂに入力しているため、光ＡＤＭ装置１Ｂに入力されてから、光信号の分散を補償する必要があるのである。
【０１４９】
従って、上述の双方向光通信用光伝送装置６０，６１（図１，図９参照）のように、第１光信号と第２光信号とを光ＡＤＭ装置１に入力する前に、それぞれ別々に分散補償しているものとは異なり、双方向の光信号を光カプラ２８，３８で一括にまとめてから分散補償しているため、双方向から伝送されてくる第１光信号と第２光信号の伝送距離をほぼ一定にしなければならない。
【０１５０】
即ち、第１光信号の分散と第２光信号の分散を同じにするか、あるいは、第１光信号の分散と第２光信号の分散とを所定の許容量以下にしなくてはならないため、図１０に示す双方向光通信用光伝送装置６２を用いる場合には、各ノード間（光ＡＤＭ装置間）の距離をほぼ一定にしてネットワークを構成するようになっている。
なお、光信号の伝送速度が２．５Ｇｂ／ｓ以下である場合には、分散補償せずに比較的長距離に伝送することができるので、伝送距離によっては分散補償器１２０，１２１を設けなくてもよい。また、ここでは、分散補償器１２０，１２１として、分散補償ファイバを用いているが、ファイバブラッググレーティングを用いるようにしてもよい。
【０１５１】
具体的に、この図１０に示す双方向光通信用光伝送装置６２を適用したネットワークは、例えば、図１２に示すように構成される。この図１２では、双方向光通信用光伝送装置６２，６２Ａ〜６２Ｄによって２ＦｉｂｅｒＢＬＳＲネットワーク５４を構成している。この図１２において、符号６４Ａ，６４Ｂは、それぞれ双方向光増幅器で、双方に伝送される光信号に対して光増幅処理を施すようになっている。
【０１５２】
なお、例えば、上述した４ＦｉｂｅｒＢＬＳＲネットワーク５２を構成する各光ＡＤＭ装置５０１〜５０５（図２１参照）に上記光カプラ２８を追加するだけで、例えば、図１２に示すように構成がシンプルな２ＦｉｂｅｒＢＬＳＲネットワーク５４を構成することができる。これにより、例えば、図１３に示すように、光ＡＤＭ装置６２，光ＡＤＭ装置６２Ａ間が完全に通信断となった場合においても、通信不能になることなく通常時と同様な通信が行なえるのである。
【０１５３】
即ち、２本の単方向用光ファイバ８１Ａ，８１Ｂにより構成されるＵＰＳＲネットワーク（図２２参照）のように、スループットを落とすことなく伝送容量を確実に確保した通信を行なうことができるのである。
以下、上述のごとく構成された本発明の第１実施形態の第２変形例にかかる双方向光通信用光伝送装置６２の動作について説明する。
【０１５４】
（ｃ１）通常時の動作
まず、この双方向光通信用光伝送装置６２では、通常時、第１光信号（λ1〜λ4）が光ファイバ６０ａ′を通じて入力されてくると、この第１光信号は光カプラ２８の第１入出力ポート２８ａから入力する。一方、第２光信号（λ5〜λ8）が光ファイバ６０ｂ′を通じて入力されてくると、この第２光信号は光カプラ２８の第２入出力ポート２８ｂから入力する。
【０１５５】
すると、光カプラ２８では、入力された第１光信号と第２光信号とを光波長多重して単一方向化する。即ち、第１光信号をスルーするとともに、第２光信号をクロスする。そして、この単一方向化した光信号を第３光入出力ポート２８ｃから出力して、光ＡＤＭ装置１Ｂの通常時用入力ポート１Ｂａから入力し、光ＡＤＭ装置１Ｂではこの２つの光信号に所定の光信号処理を施す。なお、この光ＡＤＭ装置１Ｂによる処理は後述する。
【０１５６】
その後、この光ＡＤＭ装置１Ｂの通常時用出力ポート１Ｂｂから光信号処理済の光信号が出力されると、この光信号を光カプラ２８の第４入出力ポート２８ｄから入力し、光カプラ２８において双方化する。即ち、第１光信号はスルーするとともに、第２光信号はクロスする。そして、第１光信号は第２入出力ポート２８ｂから出力されて光ファイバ６０ｂ′へ出力する一方、第２光信号は第１入出力ポート２８ａから出力されて光ファイバ６０ａ′へ出力する。
【０１５７】
なお、このとき、上述の光ＡＤＭ装置１Ｂでは、図１１に示すように、通常時においては、双方向化されて伝送されてきた第１光信号，第２光信号は、通常時用入力ポート１Ｂａから入力されると、分散補償器１２０において分散を補償したのち、光スイッチ１０１をスルーし、光カプラ１０２において光信号の一部をＳＶＯＲ１０３に送信し、ＳＶＯＲ１０３によって何れの波長の光信号を分岐すべきかを選択する。
【０１５８】
その後、光ＡＤＭ装置１Ｂでは、光増幅器１０４において光信号を増幅したのち、リニアＡＤＭ部１０５において、上記ＳＶＯＲ１０３によって選択された波長の光信号を分岐し、この分岐された波長の光信号を挿入する。続いて、この分岐・挿入処理を施した光信号は、光カプラ１０６において、ＳＶＯＳ１０７からのＳＶ信号を重畳したのち、光スイッチ１０８をスルーし、光増幅器１０９で増幅する。
【０１５９】
それから、光カプラ１１０にて光信号の一部を光スペクトルモニタ１１１に分岐するとともに、次の光ＡＤＭ装置（図示略）に送信する。光スペクトルモニタ１１１では、波長のずれや信号の分岐・挿入の状態を監視する。
つまり、ここでは、上述の各実施形態に示す光ＡＤＭ装置１，１Ａ，１Ｂで処理された内容に対し、分散補償器１２０による分散補償処理が加えられる。
【０１６０】
（ｃ２）通常時の伝送路の入力側近傍において障害が発生した場合
ここで、図１０に示す双方向光通信用光伝送装置６２と、この双方向光通信用光伝送装置６２の光ファイバ６０ａ′，６０ｄ′と接続されて隣接する双方向光通信用光伝送装置（符号６２Ａ；図１２参照）との間において、例えば、図１３に示すように、障害が発生して通信断となった場合における双方向光通信用光伝送装置６２の動作について説明する。
【０１６１】
この場合、光ファイバ６０ａ′からは第１光信号が入力されず、光ファイバ６０ｃ′か入力される。即ち、通信断となった光ファイバ６０ａ′，６０ｄ′に接続されている双方向光通信用光伝送装置６２Ａにて折り返された第１光信号がネットワークリング上の他の双方向光通信用光伝送装置６２Ｂ〜６２Ｄを介してこの双方向光通信用光伝送装置６２の非常時用の光ファイバ６０ｃ′から入力される。
【０１６２】
そして、光ファイバ６０ｃ′から第１光信号が入力されると、この第１光信号は、光カプラ３８の非常時用第１入出力ポート３８ａから入力し、スルーして、非常時用第３入出力ポート３８ｃから出力し、光ＡＤＭ装置１Ｂの非常時用入力ポート１Ｂｃからこの光ＡＤＭ装置１Ｂに入力する。
すると、光ＡＤＭ装置１Ｂにおいて、この第１光信号は、図１１に示すように、分散補償器１２１において分散を補償したのち、光スイッチ１０８をスルーし、ＳＶＯＲ１１３において、光カプラ１１２によって一部分岐されて受信した光信号からＳＶ信号を読み取り、この第１光信号に分岐・挿入処理を施すか否かを検出する。
【０１６３】
その結果、分岐・挿入処理を施さない場合は、この第１光信号を光スイッチ１０８により光ファイバ６０ｂ′側へ折り返し、光増幅部１０９により増幅したのち、光カプラ１１０を介して、通常時用出力ポート１Ｂｂから出力する。
また、分岐・挿入処理を施す場合、例えば、全ての波長の光信号を分岐する場合は、光カプラ１１４によって第１光信号にＳＶ信号を重畳したのち、光スイッチ１０１によって光ファイバ６０ｂ′側へ折り返し、通常時と同様に光カプラ１０２，ＳＶＯＲ１０３，増幅器１０４による処理を経て、リニアＡＤＭ部１０５によって全ての信号を分岐して受信する。
【０１６４】
なお、一部の波長の光信号の分岐・挿入処理する場合、第１光信号をリニアＡＤＭ部１０５によって通常時と同様に分岐・挿入処理を施し、光カプラ１０６によってＳＶ信号を重畳したのち、光スイッチ１０８をスルーし、光増幅部１０９，光カプラ１１０，光スペクトルモニタ１１１による処理を施したのち、通常時用出力ポート１Ｂｂから出力する。
その後、この通常時用出力ポート１Ｂｂから出力した第１光信号は、光カプラ２８をスルーして光ファイバ６０ｂ′から出力される。
【０１６５】
一方、第２光信号については、光ファイバ６０ｂ′を通じて入力されると、光カプラ２８の第２入出力ポート２８ｂから入力し、クロスして、第３入出力ポート２８ｃから出力し、光ＡＤＭ装置１Ｂの通常時用入力ポート１Ｂａからこの光ＡＤＭ装置１Ｂに入力する。
すると、光ＡＤＭ装置１Ｂにおいて、この第２光信号は、分散補償器１２０において分散を補償したのち、光スイッチ１０１をスルーし、ＳＶＯＲ１０３において、光カプラ１０２によって一部分岐されて受信した光信号からＳＶ信号を読み取り、この第２光信号に分岐・挿入処理を施すか否かを検出する。
【０１６６】
その結果、分岐・挿入処理を施さない場合は、この第２光信号を光スイッチ１０１により光ファイバ６０ｄ′側へ折り返し、光増幅部１１６により増幅したのち、光カプラ１１７を介して、非常時用出力ポート１Ｂｄから出力する。
また、分岐・挿入処理を施す場合、例えば、全ての波長の光信号を分岐する場合は、通常時と同様に光カプラ１０２，ＳＶＯＲ１０３，増幅器１０４による処理を経て、リニアＡＤＭ部１０５によって全ての信号を分岐して受信する。
【０１６７】
なお、一部の波長の光信号の分岐・挿入処理する場合、第２光信号をリニアＡＤＭ部１０５によって通常時と同様に分岐・挿入処理を施し、光カプラ１０６によってＳＶ信号を重畳したのち、光スイッチ１０８を光ファイバ６０ｄ′側へ折り返し、光カプラ１１２，１１４，光スイッチ１０１，光増幅器１１６，光カプラ１１７，光スペクトルモニタ１１８を介したのち、ゲインイコライザ１１９によって光信号のゲインを調整して非常時用出力ポート１Ｂｄから出力する。
【０１６８】
その後、この出力された第２光信号は、光カプラ３８をクロスして、光ファイバ６０ｃ′から出力される。
即ち、双方向光通信用光伝送装置６２，６２Ａ間において通信断となった場合、通常用の光ファイバ６０ｂ′と非常時用の光ファイバ６０ｃ′とを使用して、光通信を行なうのである。
【０１６９】
（ｃ３）通常時の伝送路の出力側近傍において障害が発生した場合
次に、図１０に示す双方向光通信用光伝送装置６２と、この双方向光通信用光伝送装置６２の光ファイバ６０ｂ′，６０ｃ′と接続されて隣接する双方向光通信用光伝送装置（符号６２Ｄ；図１２参照）との間において障害が発生して通信断となった場合における双方向光通信用光伝送装置６２の動作について説明する。
【０１７０】
この場合、第１光信号は、光ファイバ６０ａ′から入力される。そして、光カプラ２８の第１入出力ポート２８ａから入力し、スルーして、第３入出力ポート２８ｃから出力し、光ＡＤＭ装置１Ｂの通常時用入力ポート１Ｂａからこの光ＡＤＭ装置１Ｂに入力する。
すると、光ＡＤＭ装置１Ｂにおいて、この第１光信号は、分散補償器１２０により分散を補償したのち、光スイッチ１０１をスルーし、ＳＶＯＲ１０３において、光カプラ１０２によって一部分岐されて受信した光信号からＳＶ信号を読み取り、この第１光信号に分岐・挿入処理を施すか否かを検出する。
【０１７１】
その結果、分岐・挿入処理を施さない場合は、この第１光信号を光スイッチ１０１により光ファイバ６０ｄ′側へ折り返し、光増幅部１１６により増幅したのち、光カプラ１１７を介して、非常時用出力ポート１Ｂｄから出力する。
また、分岐・挿入処理を施す場合、例えば、全ての波長の光信号を分岐する場合は、通常時と同様に光カプラ１０２，ＳＶＯＲ１０３，増幅器１０４による処理を経て、リニアＡＤＭ部１０５によって全ての信号を分岐して受信する。
【０１７２】
なお、一部の波長の光信号の分岐・挿入処理する場合、第１光信号をリニアＡＤＭ部１０５によって通常時と同様に分岐・挿入処理を施し、光カプラ１０６によってＳＶ信号を重畳したのち、光スイッチ１０８を光ファイバ６０ｄ′側へ折り返し、光カプラ１１２，１１４，光スイッチ１０１，光増幅器１１６，光カプラ１１７，光スペクトルモニタ１１８を介したのち、ゲインイコライザ１１９によって光信号のゲインを調整して非常時用出力ポート１Ｂｄから出力する。
【０１７３】
一方、第２光信号については、光ファイバ６０ｂ′からは入力されず、光ファイバ６０ｄ′から入力される。即ち、通信断となった光ファイバ６０ｂ′，６０ｃ′に接続されている双方向光通信用光伝送装置６２Ｄにて折り返された第２光信号がネットワークリング上の他の双方向光通信用光伝送装置６２Ｃ，６２Ｂ，６２Ａを介してこの双方向光通信用光伝送装置６２の非常時用の光ファイバ６０ｄ′から入力される。
【０１７４】
そして、光ファイバ６０ｄ′から第２光信号が入力されると、この第２光信号は光カプラ３８の非常時用第４入出力ポート３８ｂから入力し、クロスして、非常時用第３入出力ポート３８ｃから出力し、光ＡＤＭ装置１Ｂの非常時用入力ポート１Ｂｃから入力する。
すると、光ＡＤＭ装置１Ｂにおいて、この第２光信号は、分散補償器１２１により分散を補償したのち、光スイッチ１０８をスルーし、ＳＶＯＲ１１３において、光カプラ１１２によって一部分岐されて受信した光信号からＳＶ信号を読み取り、この第２光信号に分岐・挿入処理を施すか否かを検出する。
【０１７５】
その結果、分岐・挿入処理を施さない場合は、この第２光信号を光スイッチ１０８により光ファイバ６０ｂ′側へ折り返し、光増幅部１０９，光カプラ１１０を介して通常時用出力ポート１Ｂｂから出力する。
また、分岐・挿入処理を施す場合、例えば、全ての波長の光信号を分岐する場合は、光カプラ１１４によってＳＶ信号を重畳したのち、光スイッチ１０１によって光ファイバ６０ｂ′側へ折り返し、通常時と同様に各部１０２〜１０４による処理を経て、リニアＡＤＭ部１０５によって全ての信号を分岐して受信する。
【０１７６】
なお、一部の波長の光信号の分岐・挿入処理する場合は、リニアＡＤＭ部１０５によって通常時と同様に分岐・挿入処理を施し、光カプラ１０６によってＳＶ信号を重畳したのち、光スイッチ１０８をスルーし、光増幅部１０９，光カプラ１１０，光スペクトルモニタ１１１による処理を施したのち、通常時用出力ポート１Ｂｂから出力する。
その後、この出力された第２光信号は、光カプラ２８をクロスして、光ファイバ６０ａ′から出力される。
【０１７７】
即ち、双方向光通信用光伝送装置６２，６２Ｂ間において通信断となった場合、通常用の光ファイバ６０ａ′と非常時用の光ファイバ６０ｄ′とを使用して、光通信を行なうのである。
（ｃ４）近傍にないある箇所において障害が発生した場合
次に、上述の双方向光通信用光伝送装置６２，６２Ａ間や双方向光通信用光伝送装置６２，６２Ｄ間ではなく、それ以外の箇所において障害が発生した場合の双方向光通信用光伝送装置６２の動作について説明する。
【０１７８】
なお、この場合も、第１実施形態と同様に、通常時用，非常時用の両方の光ファイバ６０ａ′〜６０ｄ′を全て利用して光信号を伝送する。
つまり、第１光信号について、双方向光通信用光伝送装置６２Ａから送信される第１光信号は、光ファイバ６０ａ′から入力される。その後、光カプラ２８をスルーして、通常時用入力ポート１Ｂａから光ＡＤＭ装置１Ｂに入力する。
【０１７９】
すると、光ＡＤＭ装置１Ｂでは、分散補償器１２０において、この第１光信号の分散を補償したのち、光スイッチ１０１をスルーし、各部１０２〜１１１によって、分岐・挿入処理を含む所定の光伝送処理を施し、通常時用出力ポート１Ｂｂから出力する。その後、この出力された第１光信号は、光カプラ２８をスルーして光ファイバ６０ｂ′から出力する。
【０１８０】
一方、双方向光通信用光伝送装置６２Ｄから送信される第１光信号は、光ファイバ６０ｃ′から入力される。そして、光カプラ３８をスルーして非常時用入力ポート１Ｂｃから光ＡＤＭ装置１Ｂに入力する。
すると、光ＡＤＭ装置１Ｂでは、分散補償器１２１において、この第１光信号の分散を補償したのち、光スイッチ１０８をスルーし、各部１１２〜１１５の各処理を施したのち、光スイッチ１０１もスルーして、各部１１６〜１１９の各処理を施したのち、非常時用出力ポート１Ｂｄから出力する。その後、この出力された第１光信号は、光カプラ３８をスルーして光ファイバ６０ｄ′から出力される。
【０１８１】
即ち、第１光信号の分岐・挿入処理は、上述の双方向光通信用光伝送装置６２Ａからの通常時の光ファイバ６０ａ′，６０ｂ′上を伝送しているときに行なっているので、双方向光通信用光伝送装置６２Ｄから送信されたときには通過するだけでよい。つまり、光ファイバ６０ｃ′，６０ｄ′では、分散補償を行ない、ＳＶ信号の読み書きを行なったのち、光信号を増幅して送出している。
【０１８２】
次に、第２光信号について、双方向光通信用光伝送装置６２Ｄから送信される第２光信号は、光ファイバ６０ｂ′から入力される。その後、光カプラ２８をクロスして通常時用入力ポート１Ｂａから光ＡＤＭ装置１Ｂに入力する。
すると、光ＡＤＭ装置１Ｂでは、分散補償器１２０において、この第２光信号の分散を補償したのち、光スイッチ１０１をスルーし、各部１０２〜１１１によって、分岐・挿入処理を含む所定の光伝送処理を施し、通常時用出力ポート１Ｂｂから出力する。その後、この出力された第２光信号は、光カプラ２８をクロスして光ファイバ６０ａ′から出力する。
【０１８３】
一方、双方向光通信用光伝送装置６２Ａから送信される第２光信号は、光ファイバ６０ｄ′を通じて入力される。その後、光カプラ３８をクロスして、非常用入力ポート１Ｂｃから光ＡＤＭ装置１Ｂに入力する。
すると、光ＡＤＭ装置１Ｂでは、分散補償器１２１において、この第２光信号の分散を補償したのち、光スイッチ１０８をスルーし、各部１１２〜１１５の各処理を施したのち、光スイッチ１０１もスルーして、各部１１６〜１１９の各処理を施したのち、非常時用出力ポート１Ｂｄから出力する。その後、この出力された第２光信号は、光カプラ３８をスルーして光ファイバ６０ｃ′から出力される。
【０１８４】
即ち、第２光信号の分岐・挿入処理は、上述の双方向光通信用光伝送装置６２Ａから通常時の光ファイバ６０ａ′，６０ｂ′上を伝送しているときに行なっているので、双方向光通信用光伝送装置６２Ｄから送信されたときには通過するだけでよい。つまり、光ファイバ６０ｃ′，６０ｄ′では、分散補償を行ない、ＳＶ信号の読み書きを行なったのち、光信号を増幅して送出している。
【０１８５】
このように、上述の双方向光通信用光伝送装置６２によれば、２×２光カプラ２８，３８を用いて双方向に伝送される光信号の単一方向化および双方向化を行なっているので、回路構成の簡素化を図ることができ、従って、光通信システム全体の縮小化を図ることができる利点がある。
また、第１光信号の分散と第２光信号の分散とを一括して補償しているので、この場合も同様に、回路構成の簡素化を図ることができる。
【０１８６】
（ｄ）第２実施形態の説明
図１４は本発明の第２実施形態にかかる双方向光通信用光伝送装置６３の構成を示すブロック図で、この図１４に示す双方向光通信用光伝送装置（光ＡＤＭ装置）６３は、上り方向と下り方向とで異なる波長の光信号を伝送することにより双方向の光通信を行なう光ファイバ（双方向通信用光伝送路）６０ｅ，６０ｆに介装され、これらの光ファイバ６０ｅ，６０ｆを伝送される光信号に対して所定の光伝送処理を施すもので、第１光ＡＤＭ部１Ｃ，第２光ＡＤＭ部１Ｄ，光カプラ２２Ａ，２３Ａ，光スペクトルモニタ１２２をそなえて構成されている。
【０１８７】
ここで、第１光ＡＤＭ部（第１光信号処理部）１Ｃは、上り方向の光信号（第１光信号；λ1〜λ4）に対して所定の光信号処理を施すものであり、第２光ＡＤＭ部（第２光信号処理部）１Ｄは、下り方向の光信号（第２光信号；λ5〜λ8）に対して所定の光信号処理を施すものである。
つまり、第１実施形態では、既存の光ＡＤＭ装置１，１Ａ，１Ｂ（図１，図９，図１０参照）を用いて双方向に伝送される光信号に所定の光伝送処理を行なっていたのに対し、本第２実施形態では、光ＡＤＭ装置自体の構成を双方向光通信対応にしているのである。なお、各光ＡＤＭ部１Ｃ，１Ｄについては、後述することにする。
【０１８８】
また、光カプラ（第１分岐部）２２Ａは、光ファイバ６０ｅを通じて入力される第１光信号を第１光ＡＤＭ部１Ｃへ分岐する一方、第２光ＡＤＭ部１Ｄからの第２光信号を光ファイバ６０ｅへ分岐するものであり、光カプラ（第２分岐部）２３Ａは、光ファイバ６０ｆを通じて入力される第２光信号を第２光ＡＤＭ部１Ｄへ分岐する一方、第１光ＡＤＭ部１Ｃからの第１光信号を光ファイバ６０ｆへ分岐するものである。
【０１８９】
つまり、これらの光カプラ２２Ａ，２３Ａによって、通常時に光ファイバ６０ｅ，６０ｆを双方向に伝送する第１光信号，第２光信号を切りわけて、それぞれ、別々に所定の光伝送処理を施すことができるようになっている。
ここで、上述の第１光ＡＤＭ部１Ｃについて詳述する。具体的に、第１光ＡＤＭ部１Ｃは、図１４に示すように、分散補償器２４Ａ，光スイッチ１０１Ａ，光カプラ１０２，監視信号受信部（ＳＶＯＲ）１０３，光増幅器１０４，リニアＡＤＭ部１０５Ａ，光カプラ１０６，監視信号送信部（ＳＶＯＳ）１０７，光スイッチ１０８Ａ，光増幅器１０９をそなえて構成されている。なお、既述の符号と同一の符号を付したものはそれぞれ前述したものとほぼ同様のものであるため、詳細な説明については省略する。
【０１９０】
また、分散補償器（第３分散補償器）２４Ａは、光ファイバ６０ｅを通じて入力される第１光信号についての分散を補償するものであり、光スイッチ（第１折り返し光スイッチ）１０１Ａは、光ファイバ６０ｆを通じての双方向通信が不可能になった時に、光ファイバ６０ｅを通じて入力される第１光信号を後述する非常時用の光ファイバ６０ｇ，６０ｈへ折り返すもので、通常時は、スルーするようになっている。
【０１９１】
さらに、リニアＡＤＭ部（アド・ドロップ処理部）１０５Ａは、入力光信号に対して波長単位での光信号の分岐・挿入処理（アド・ドロップ処理）を施すもので、上述のリニアＡＤＭ部１０５（図２参照）と同様に構成されている。そのため、光分波器４５，分岐用光スイッチ４６−１〜４６−ｎ、挿入用光スイッチ４７−１〜４７−ｎ，光アッテネータ４８−１〜４８−ｎ，光合波器４９をそなえ（図１４においては符号略）、リニアＡＤＭ部１０５と同様に機能するようになっている。
【０１９２】
なお、このリニアＡＤＭ部１０５Ａによる分岐・挿入処理は、リニアＡＤＭ部１０５と同様に、ＡＯＴＦ（音響光チューナブルフィルタ；図３の符号７参照）や導波路型回折格子（ＡＷＧ）またはファイバブラッググレーティングによって行なうようにしてもよい。
また、光スイッチ（第１折り返し光スイッチ）１０８Ａは、上述の光スイッチ１０１Ａと同様に、光ファイバ６０ｆを通じての双方向通信が不可能になった時に、光ファイバ６０ｅを通じて入力される第１光信号を後述する非常時用の光ファイバ６０ｇ，６０ｈへ折り返すもので、通常時は、スルーするようになっている。
【０１９３】
ところで、この双方向光通信用光伝送装置６３は、光ファイバ６０ｅ，６０ｆによる双方向通信が不可能になった非常時に、この光ファイバ６０ｅ，６０ｆに代わって双方向通信を行なうための光ファイバ（非常時双方向通信用光伝送路）６０ｇ，６０ｈに介装され、所定の光信号処理を行なうようになっている。
なお、このときも、第１光ＡＤＭ部１Ｃと第２光ＡＤＭ部１Ｄを用い、非常時に光ファイバ６０ｇ，６０ｈを双方向に伝送する光信号は光カプラ３２Ａ，３３Ａによって切り分けられている。
【０１９４】
そのため、第１光ＡＤＭ部１Ｃは、図１４に示すように、分散補償器３４Ａ，光スイッチ１０８Ａ，光カプラ１１２，監視信号受信部（ＳＶＯＲ）１１３，光カプラ１１４，監視信号送信部（ＳＶＯＳ）１１５，光スイッチ１０１Ａ，光増幅器１１６，ゲインイコライザ１１９Ａをそなえて構成されている。なお、既述の符号と同一の符号を付したものはそれぞれ前述したものとはほぼ同様のものであるため、詳細な説明については省略する。
【０１９５】
ここで、分散補償器（第５分散補償器）３４Ａは、非常時に他の光伝送装置で折り返され光ファイバ６０ｇを通じて入力される第１光信号についての分散を補償するものである。
つまり、この第１光ＡＤＭ部１Ｃでは、通常時に入力される第１光信号の分散と非常時に入力される第１光信号の分散とを、それぞれ、分散補償器２４Ａ，３４Ａによって別々に補償することができるようになっているのである。
【０１９６】
また、ゲインイコライザ１１９Ａは、非常時に光スイッチ１０１Ａや１０８Ａで、光ファイバ６０ｈへ折り返された第１光信号の信号レベルを一定に保つもので、波長単位で第１光信号のゲインを調整するようになっている。即ち、このゲインイコライザ１１９Ａは非常時光信号レベル調整部として機能しているものである。
また、上述の図１４に示す第２光ＡＤＭ部１Ｄは、例えば、分散補償器２５Ａ，光スイッチ１０１Ｂ，光カプラ１０２，監視信号受信部（ＳＶＯＲ）１０３，光増幅器１０４，リニアＡＤＭ部１０５Ｂ，光カプラ１０６，監視信号送信部（ＳＶＯＳ）１０７，光スイッチ１０８Ｂ，光増幅器１０９をそなえて構成されている。なお、既述の符号と同一の符号を付したものはそれぞれ前述したものとほぼ同様のものであるため、詳細な説明については省略する。
【０１９７】
ここで、分散補償器（第４分散補償器）２５Ａは、光ファイバ６０ｆを通じて入力される第２の光信号についての分散を補償するものであり、光スイッチ（第２折り返し光スイッチ）１０１Ｂは、光ファイバ６０ｅを通じての双方向通信が不可能になった時に、光ファイバ６０ｆを通じて入力される第２光信号を非常時用の光ファイバ６０ｇへ送信するために折り返すもので、通常時は、スルーするようになっている。
【０１９８】
さらに、リニアＡＤＭ部（アド・ドロップ処理部）１０５Ｂは、入力光信号に対して波長単位での光信号の分岐・挿入処理（アド・ドロップ処理）を施すもので、これも上述のリニアＡＤＭ部１０５（図２参照）と同様に構成されている。そのため、光分波器４５，分岐用光スイッチ４６−１〜４６−ｎ、挿入用光スイッチ４７−１〜４７−ｎ，光アッテネータ４８−１〜４８−ｎ，光合波器４９をそなえ（図１４においては符号略）、リニアＡＤＭ部１０５と同様に機能するようになっている。
【０１９９】
なお、このリニアＡＤＭ部１０５Ｂによる分岐・挿入処理も、リニアＡＤＭ部１０５，１０５Ａと同様に、ＡＯＴＦや導波路型回折格子（ＡＷＧ）またはファイバブラッググレーティングによって行なうようにしてもよい。
また、光スイッチ（第２折り返し光スイッチ）１０８Ｂは、上述の光スイッチ１０１Ａと同様に、光ファイバ６０ｅを通じての双方向通信が不可能になった時に、光ファイバ６０ｆを通じて入力される第２光信号を非常時用の光ファイバ６０ｇへ送信するために折り返すもので、通常時は、スルーするようになっている。
【０２００】
さらに、この第２光ＡＤＭ部１Ｄは、上述の第１光ＡＤＭ部１Ｃと同様に、光ファイバ６０ｅ，６０ｆによる双方向通信が不可能になった非常時に、この光ファイバ６０ｅ，６０ｆに代わって双方向通信を行なうための光ファイバ６０ｇ，６０ｈに介装されるようになっているため、図１４に示すように、分散補償器３５Ａ，光スイッチ１０８Ｂ，光カプラ１１２，監視信号受信部（ＳＶＯＲ）１１３，光カプラ１１４，監視信号送信部（ＳＶＯＳ）１１５，光スイッチ１０１Ｂ，光増幅器１１６，ゲインイコライザ１１９Ｂをそなえて構成されている。なお、既述の符号と同一の符号を付したものはそれぞれ前述したものとほぼ同様のものであるため、詳細な説明については省略する。
【０２０１】
ここで、分散補償器（第６分散補償器）３５Ａは、非常時に他の光伝送装置で折り返され光ファイバ６０ｈを通じて入力される第２光信号についての分散を補償するものである。
つまり、この第２光ＡＤＭ部１Ｄでは、通常時に入力される第２光信号の分散と非常時に入力される第２光信号の分散とを、それぞれ、分散補償器２５Ａ，３５Ａによって別々に補償することができるようになっている。
【０２０２】
また、ゲインイコライザ１１９Ｂは、非常時に光スイッチ１０８Ｂで、光ファイバ６０ｇへ折り返された第２光信号の信号レベルを一定に保つもので、波長単位で第２光信号のゲインを調整するようになっている。即ち、このゲインイコライザ１１９Ｂも上述の第１光ＡＤＭ部１Ｃに設けられたゲインイコライザ１１９Ａと同様に、非常時光信号レベル調整部として機能しているものである。
【０２０３】
さらに、図１４に示す光カプラ（第３分岐部）３２Ａは、非常時に他の光伝送装置で折り返され光ファイバ６０ｇを通じて入力される第１光信号を第１光ＡＤＭ部１Ｃへ分岐する一方、非常時に第２光ＡＤＭ部１Ｄからの第２光信号を光ファイバ６０ｇへ分岐するものであり、光カプラ（第４分岐部）３３Ａは、非常時に他の伝送装置で折り返され光ファイバ６０ｈを通じて入力される第２光信号を第２光ＡＤＭ部１Ｄへ分岐する一方、非常時に第１光ＡＤＭ部１Ｃからの第１光信号を光ファイバ６０ｈへ分岐するものである。
【０２０４】
つまり、これらの光カプラ３２Ａ，３３Ａによって、非常時に光ファイバ６０ｇ，６０ｈを双方向に伝送する第１光信号，第２光信号を切りわけて、それぞれ、別々に所定の光伝送処理を施すことができるようになっている。
ところで、図１４に示す光スペクトルモニタ（スペクトル監視部）１２２は、通常時に第１光ＡＤＭ部１Ｃで処理された第１光信号，通常時に第２光ＡＤＭ部１Ｄで処理された第２光信号，非常時に第１光ＡＤＭ部１Ｃで処理された第１光信号および非常時に第２光ＡＤＭ部１Ｄで処理された第２光信号の各スペクトル状態を監視するものである。
【０２０５】
具体的に、この光スペクトルモニタ１２２は、双方向光通信用光伝送装置６３内で処理される全ての光信号（合計４種類の光信号）について、光信号の抜けや波長のずれがあるか否かや、光信号の分岐・挿入処理は正常に動作しているか否かなど、各光信号の８波のスペクトルからその状態を監視（チェック）するようになっている。
そのため、光伝送処理済の各光信号を検出するために、双方向光通信用光伝送装置６３内の伝送路上には、光カプラ１２３ａ〜１２３ｆが設けられている。
【０２０６】
ここで、光カプラ１２３ａは、通常時に第１光ＡＤＭ部１Ｃによって処理された第１光信号を分岐するもので、光カプラ２３Ａによって第２光信号と合波される手前の位置に設けられている。また、光カプラ１２３ｂは、通常時に第２光ＡＤＭ部１Ｄによって処理された第２光信号を分岐するもので、光カプラ２２Ａによって第１光信号と合波される手前の位置に設けられている。
【０２０７】
そして、これらの光カプラ１２３ａ，１２３ｂによって分岐された光信号は、光カプラ１２３ｃによって合波され、光スペクトルモニタ１２２へ送信されるようになっている。
また、光カプラ１２３ｄは、非常時に第１光ＡＤＭ部１Ｃによって処理された第１光信号を分岐するもので、光カプラ３３Ａによって第２光信号と合波される手前の位置に設けられている。さらに、光カプラ１２３ｅは、非常時に第２光ＡＤＭ部１Ｄによって処理された第２光信号を分岐するもので、光カプラ３２Ａによって第１光信号と合波される手前の位置に設けられている。
【０２０８】
そして、これらの光カプラ１２３ｄ，１２３ｅによって分岐された光信号は、光カプラ１２３ｆによって合波され、光スペクトルモニタ１２２へ送信されるようになっている。
また、この光スペクトルモニタ１２２は、光カプラ１２３ｃにより送信されてくる通常時における各光信号のスペクトル状態と、光カプラ１２３ｆにより送信されてくる非常時における各光信号のスペクトル状態とを所定の周期で交互に監視するようになっており、この監視の切り分けは、光スペクトルモニタスイッチ（２×１スイッチ）１２３によって行なわれるようになっている。
【０２０９】
つまり、光スペクトルモニタスイッチ１２３によって、入力されてくる何れかの光信号を交互に切り替えることができるので、光スペクトルモニタ１２２を１台そなえるだけで複数箇所の光信号を監視することができるのである。
具体的に、上述の光スペクトルモニタスイッチ１２３は、通常時には光カプラ１２３ｃからの光信号のみを監視するようになっており、非常時には、光スペクトルモニタスイッチ１２３を切り替えながら、光カプラ１２３ｃからの光信号と光カプラ１２３ｆからの光信号を交互に監視するようになっている。
【０２１０】
なお、この場合、光スペクトルモニタ１２２による各光信号の監視は、例えば、１秒毎に行なうようになっており、光スペクトルモニタスイッチ１２３による切り替え速度（スイッチング速度）は、既存の２×１光カプラで充分に対応できる。そのため、双方向光通信用光伝送装置６３では、１台の光スペクトルモニタ１２２で同時に４箇所の信号を監視することができるので、装置全体のコストを削減することができるのである。
【０２１１】
以下、上述のごとく構成された本発明の第２実施形態にかかる双方向光通信用光伝送装置６３の動作について、図１５〜図１８を用いて説明する。
（ｄ１）通常時の動作
まず、双方向光通信用光伝送装置６３では、通常時、図１５に示すように、第１光信号（λ1〜λ4）が光ファイバ６０ｅから入力されてくると、この第１光信号を光カプラ２２Ａによって第１ＡＤＭ装置１Ｃ側へ分岐する。そして、分散補償器２４Ａによって分散を補償したのち、各部１０１Ａ〜１０９により、分岐・挿入処理を含む所定の光伝送処理を行なう。この場合、光スイッチ１０１Ａ，１０８Ａはスルーする。
【０２１２】
その後、この第１光ＡＤＭ部１Ｃにおいて光伝送処理が施された第１光信号を、光カプラ２３Ａによって光ファイバ６０ｆ側へ分岐して出力する。
一方、第２光信号（λ5〜λ8）が光ファイバ６０ｆから入力されてくると、この第２光信号を光カプラ２３Ａによって第２光ＡＤＭ部１Ｄ側へ分岐する。そして、分散補償器２５Ａによって分散を補償したのち、各部１０１Ｂ〜１０９により、分岐・挿入処理を含む所定の光伝送処理を行なう。この場合、光スイッチ１０１Ｂ，１０８Ｂはスルーする。
【０２１３】
その後、この第２光ＡＤＭ部１Ｄにおいて光伝送処理が施された第２光信号を、光カプラ２２Ａによって光ファイバ６０ｅ側へ分岐して出力する。
なお、このとき、光スペクトルモニタ１２２では、第１ＡＤＭ装置１Ｃ，第２ＡＤＭ装置１Ｄにおいて光伝送処理された各光信号を、光カプラ１２３ａ，１２３ｂにより一部分岐し、光カプラ１２３ｃによって合波して監視する。
【０２１４】
（ｄ２）通常時の伝送路の入力側近傍において障害が発生した場合
ここで、図１４に示す双方向光通信用光伝送装置６３と、この双方向光通信用光伝送装置６３の光ファイバ６０ｅ，６０ｈと接続されて隣接する双方向光通信用光伝送装置（図示略；６３Ａとする）との間において障害が発生して通信断となった場合における双方向光通信用光伝送装置６３の動作について、図１６を用いて説明する。
【０２１５】
この場合、光ファイバ６０ｅからは第１光信号が入力されず、光ファイバ６０ｇから入力される。即ち、通信断となった光ファイバ６０ｅ，６０ｈに接続されている双方向光通信用光伝送装置６３Ａにて折り返された第１光信号がネットワークリング上の他の双方向光通信用光伝送装置（図示略）を介してこの双方向光通信用光伝送装置６３の非常時用の光ファイバ６０ｇから入力される。
【０２１６】
そして、光ファイバ６０ｇから第１光信号が入力されると、この第１光信号を光カプラ３２Ａにおいて分岐し、分散補償器３４Ａによって分散を補償したのち、光スイッチ１０８Ａをスルーし、ＳＶＯＲ１１３において、光カプラ１１２によって一部分岐されて受信した光信号からＳＶ信号を読み取り、この第１光信号に分岐・挿入処理を施すか否かを検出する。
【０２１７】
その結果、分岐・挿入処理を施さない場合は、この第１光信号を光スイッチ１０８Ａにより光ファイバ６０ｆ側へ折り返し、光増幅部１０９により増幅したのち、光カプラ２３Ａを介して、光ファイバ６０ｆから出力する。
また、分岐・挿入処理を施す場合のうち、一部の波長の光信号の分岐・挿入処理する場合、第１光信号を光スイッチ１０１Ａによって光ファイバ６０ｆ側へ折り返し、通常時と同様に、各部１０２〜１０４による処理を経て、リニアＡＤＭ部１０５Ａによって通常時と同様に分岐・挿入処理を施し、光カプラ１０６によってＳＶ信号を重畳したのち、光スイッチ１０８Ａをスルーし、光増幅部１０９，光カプラ２３Ａを介して、光ファイバ６０ｆから出力する。
【０２１８】
なお、全ての波長の光信号を分岐する場合は、光カプラ１１４によって第１光信号にＳＶ信号を重畳したのち、光スイッチ１０１Ａによって光ファイバ６０ｆ側へ折り返し、通常時と同様に各部１０２〜１０４による処理を経て、リニアＡＤＭ部１０５Ａによって全ての信号を分岐して受信する。図１６に示す太線は、この全ての信号を受信した場合を示している。
【０２１９】
一方、第２光信号については、光ファイバ６０ｆから入力される。その後、この第２光信号を光カプラ２３Ａにおいて第２光ＡＤＭ部１Ｄ側へ分岐し、分散補償器２５Ａによって分散を補償したのち、光スイッチ１０１Ｂをスルーし、ＳＶＯＲ１０３において、光カプラ１０２によって一部分岐されて受信した光信号からＳＶ信号を読み取り、この第２光信号に分岐・挿入処理を施すか否かを検出する。
【０２２０】
その結果、分岐・挿入処理を施さない場合は、この第２光信号を光スイッチ１０１Ｂにより光ファイバ６０ｇ側へ折り返し、光増幅部１１６により増幅したのち、ゲインイコライザ１１９Ｂ，光カプラ３２Ａを介して、光ファイバ６０ｇから出力する。
また、分岐・挿入処理を施す場合のうち、一部の波長の光信号の分岐・挿入処理する場合、光スイッチ１０１Ｂをスルーし、第２光信号をリニアＡＤＭ部１０５Ｂによって通常時と同様に分岐・挿入処理を施し、光カプラ１０６によってＳＶ信号を重畳したのち、光スイッチ１０８Ｂを光ファイバ６０ｇ側へ折り返し、光カプラ１１２，１１４，光スイッチ１０１Ｂ，光増幅器１１６，ゲインイコライザ１１９Ｂ，光カプラ３２Ａを介して、光ファイバ６０ｇから出力する。
【０２２１】
なお、全ての波長の光信号を分岐する場合は、通常時と同様に光カプラ１０２，ＳＶＯＲ１０３，増幅器１０４による処理を経て、リニアＡＤＭ部１０５Ｂによって全ての信号を分岐して受信する。
即ち、双方向光通信用光伝送装置６３，６３Ａ間において通信断となった場合には、通常時用の光ファイバ６０ｆと非常時用の光ファイバ６０ｇとを使用して光通信を行なうようになっている。
【０２２２】
（ｄ３）通常時の伝送路の出力側近傍において障害が発生した場合
次に、図１４に示す双方向光通信用光伝送装置６３と、この双方向光通信用光伝送装置６３の光ファイバ６０ｇ，６０ｆと接続されて隣接する双方向光通信用光伝送装置（図示略；６３Ｂとする）との間において障害が発生して通信断となった場合における双方向光通信用光伝送装置６３の動作について、図１７を用いて説明する。
【０２２３】
この場合、第１光信号は、光ファイバ６０ｅから入力される。その後、光カプラ２２Ａにおいて第１光ＡＤＭ部１Ｃ側へ分岐し、分散補償器２４Ａによって分散を補償したのち、光スイッチ１０１Ａをスルーし、ＳＶＯＲ１０３において、光カプラ１０２によって一部分岐されて受信した光信号からＳＶ信号を読み取り、この第１光信号に分岐・挿入処理を施すか否かを検出する。
【０２２４】
その結果、分岐・挿入処理を施さない場合は、この第１光信号を光スイッチ１０１Ａにより光ファイバ６０ｈ側へ折り返し、光増幅部１１６，ゲインイコライザ１１９Ａ，光カプラ３３Ａを介して、光ファイバ６０ｈから出力する。
また、分岐・挿入処理を施す場合のうち、一部の波長の光信号の分岐・挿入処理する場合、光スイッチ１０１Ａをスルーし、第１光信号をリニアＡＤＭ部１０５Ａによって通常時と同様に分岐・挿入処理を施し、光カプラ１０６によってＳＶ信号を重畳したのち、光スイッチ１０８Ａを光ファイバ６０ｈ側へ折り返し、光カプラ１１２，１１４，光スイッチ１０１Ａ，光増幅器１１６，ゲインイコライザ１１９，光カプラ３３Ａを介して、光ファイバ６０ｈから出力する。
【０２２５】
なお、全ての波長の光信号を分岐する場合は、通常時と同様に光カプラ１０２，ＳＶＯＲ１０３，増幅器１０４による処理を経て、リニアＡＤＭ部１０５Ａによって全ての信号を分岐して受信する。
一方、第２光信号については、光ファイバ６０ｆからは入力されず、光ファイバ６０ｈから入力される。即ち、通信断となった光ファイバ６０ｆ，６０ｇに接続されている双方向光通信用光伝送装置６３Ｂにて折り返された第２光信号がネットワークリング上の他の双方向光通信用光伝送装置（図示略）を介してこの双方向光通信用光伝送装置６３の非常時用の光ファイバ６０ｈから入力される。
【０２２６】
そして、光ファイバ６０ｈから第２光信号が入力されると、光カプラ３３Ａにおいて第２光ＡＤＭ部１Ｄ側へ分岐し、分散補償器３５Ａによって分散を補償したのち、光スイッチ１０８Ｂをスルーし、ＳＶＯＲ１１３において、光カプラ１１２によって一部分岐されて受信した光信号からＳＶ信号を読み取り、この第２光信号に分岐・挿入処理を施すか否かを検出する。
【０２２７】
その結果、分岐・挿入処理を施さない場合は、この第２光信号を光スイッチ１０８Ｂにより光ファイバ６０ｅ側へ折り返し、光増幅部１０９，光カプラ２２Ａを介して、光ファイバ６０ｅから出力する。
また、分岐・挿入処理を施す場合のうち、一部の波長の光信号の分岐・挿入処理する場合は、光スイッチ１０１Ｂをスルーし、各部１１２〜１１４による処理を経て、光スイッチ１０１Ｂを折り返し、リニアＡＤＭ部１０５Ｂによって通常時と同様に分岐・挿入処理を施し、光カプラ１０６によってＳＶ信号を重畳したのち、光スイッチ１０８Ｂをスルーし、光増幅部１０９，光カプラ２２Ａを介して、光ファイバ６０ｅから出力する。
【０２２８】
なお、全ての波長の光信号を分岐する場合は、光カプラ１１４によってＳＶ信号を重畳したのち、光スイッチ１０１Ｂによって光ファイバ６０ｅ側へ折り返し、通常時と同様に各部１０２〜１０４による処理を経て、リニアＡＤＭ部１０５Ｂによって全ての信号を分岐して受信する。図１７に示す太線は、この全ての信号を受信した場合を示している。
即ち、双方向光通信用光伝送装置６３，６３Ｂ間において通信断となった場合、通常用の光ファイバ６０ｅと非常時用の光ファイバ６０ｈとを使用して、光通信を行なうのである。
【０２２９】
（ｄ４）近傍にないある箇所において障害が発生した場合
次に、上述の双方向光通信用光伝送装置６３，６３Ａ間や双方向光通信用光伝送装置６３，６３Ｂ間ではなく、それ以外の箇所において障害が発生した場合の双方向光通信用光伝送装置６３の動作について、図１８を用いて説明する。
なお、ある箇所が通信断となっている場合、伝送された光信号は、通信断となった位置から折り返して伝送されるようになっているため（図１６，図１７参照）、双方向光通信用光伝送装置６３がその間に位置する場合、通常時用，非常時用の両方の光ファイバ６０ｅ〜６０ｈを全て利用して光信号を伝送する。
【０２３０】
即ち、第１光信号，第２光信号ともに、双方向（双方向光通信用光伝送装置６３Ａ側，双方向光通信用光伝送装置６３Ｂ側）から送信され、双方向へ送信するようになっている。
まず、第１光信号について、双方向光通信用光伝送装置６３Ａから送信される第１光信号は、光ファイバ６０ｅから入力される。その後、光カプラ２２Ａにおいて第１光ＡＤＭ部１Ｃ側に分岐し、分散補償器２４Ａによって分散を補償したのち、各部１０１Ａ〜１０９によって分岐・挿入処理を含む所定の光伝送処理を施す。なお、この場合、光スイッチ１０１Ａ，１０８Ａはスルーする。その後、この第１光信号を、光カプラ２３Ａを介して光ファイバ６０ｆから出力する。
【０２３１】
一方、双方向光通信用光伝送装置６３Ｂから送信される第１光信号は、光ファイバ６０ｇから入力される。その後、この第１光信号は、光カプラ３２Ａにおいて第１光ＡＤＭ部１Ｃ側へ分岐し、分散補償器３４Ａによって分散を補償したのち、各部１０８Ａ〜１１９Ａの処理を施し、光カプラ３３Ａを介して光ファイバ６０ｈから出力される。なお、この場合、光スイッチ１０８Ａ，１０１Ａはスルーする。
【０２３２】
即ち、第１光信号の分岐・挿入処理は、上述の双方向光通信用光伝送装置６３Ａから通常時の光ファイバ６０ｅ，６０ｆ上を伝送しているときに行なっているので、双方向光通信用光伝送装置６３Ｂから送信されたときには通過するだけでよい。つまり、光ファイバ６０ｇ，６０ｈでは、分散補償処理を行ない、ＳＶ信号の読み書きを行なったのち、光信号を増幅して送出している。
【０２３３】
次に、第２光信号について、双方向光通信用光伝送装置６３Ｂから送信される第２光信号は、光ファイバ６０ｆから入力される。その後、光カプラ２３Ａにおいて第２光ＡＤＭ部１Ｄ側へ分岐し、分散補償器２５Ａによって分散を補償したのち、各部１０１Ｂ〜１０９の処理によって分岐・挿入処理を含む所定の光伝送処理を施す。なお、この場合、光スイッチ１０１Ｂ，１０８Ｂはスルーする。その後、この第２光信号を、光カプラ２２Ａを介して光ファイバ６０ｅから出力する。
【０２３４】
一方、双方向光通信用光伝送装置６３Ａから送信される第２光信号は、光ファイバ６０ｈを通じて入力される。その後、光カプラ３３Ａにおいて第２光ＡＤＭ部１Ｄ側へ分岐し、分散補償器３５Ａによって分散を補償したのち、各部１０８Ｂ〜１１９Ｂの処理を施したのち、光カプラ３２Ａを介して光ファイバ６０ｇから出力される。なお、この場合、光スイッチ１０８Ｂ，１０１Ｂはスルーする。
【０２３５】
即ち、第２光信号の分岐・挿入処理は、上述の双方向光通信用光伝送装置６３Ｂから通常時の光ファイバ６０ｅ，６０ｆ上を伝送しているときに行なっているので、双方向光通信用光伝送装置６３Ａから送信されたときには通過するだけでよい。つまり、この場合も、光ファイバ６０ｇ，６０ｈは、分散補償処理を行ない、ＳＶ信号の読み書きを行なったのち、光信号を増幅して送出しているのである。
【０２３６】
通常時用の光ファイバ６０ｅ，６０ｆ上を伝送するときには、通常時と同様の処理を施し、非常時用の光ファイバ６０ｇ，６０ｈ上を伝送するときには、切り替え処理を行なわずにスルーする。
このように、上述の双方向光通信用光伝送装置６３によれば、双方向から伝送される光信号を別々に処理しているので、処理の対象となる光信号数を削減でき、各光ＡＤＭ部１Ｃ，１Ｄにおける所定の光伝送処理速度を向上させることができる利点がある。
【０２３７】
また、通常時用の第１光信号，第２光信号，非常時用の第１光信号，第２光信号に対して、それぞれ、分散補償処理を施しているので、ノード間距離（光ＡＤＭ間距離）を一定にする必要がなく、光通信ネットワークを構築する際の柔軟性に寄与しうる。
さらに、通常時用の第１光信号，第２光信号，非常時用の第１光信号，第２光信号のスペクトル状態を１つの光スペクトルモニタ１２２がまとめて監視しているので、回路構成の縮小化およびコスト削減を図ることができる。
【０２３８】
また、上述の双方向光通信用光伝送装置６３によれば、第１光ＡＤＭ部１Ｃ，第２光ＡＤＭ部１Ｄが、それぞれ、光信号に対して波長単位で光信号の分岐・挿入処理を施しているので、第１光信号および第２光信号の情報を載せた信号を、それぞれ別々に、光の状態のままで処理することができ、本装置６３の処理速度を向上させることができる。
さらに、ＡＯＴＦ７を用いて光信号の分岐・挿入処理を施すこともできるので、システム構築の際の柔軟性に寄与しうる。
【０２３９】
また、第１光ＡＤＭ部１Ｃ，第２光ＡＤＭ部１Ｄが、それぞれ、非常時に折り返された光信号の信号レベルを一定に保っているので、光信号の波長毎のバラツキを確実に無くすことができ、精度の高い光信号を伝送することができる。
（ｅ）その他
なお、上述した各実施形態に関わらず、本発明の趣旨を逸脱しない範囲で種々変形して実施することができる。
【０２４０】
（ｆ）付記
（付記１）
上り方向と下り方向とで異なる波長の光信号を伝送することにより双方向の光通信を行なう双方向通信用光伝送路に介装され該双方向通信用光伝送路を伝送される該光信号に対して所定の光伝送処理を施す双方向光通信用光伝送装置であって、
単方向に伝送される光信号に対して所定の光信号処理を施す単方向用光信号処理部と、
該上り方向，該下り方向の各光信号の流れを単一方向化して該単方向用光信号処理部へ入力する一方、該単方向用光信号処理部からの光信号の流れを該上り方向と該下り方向とに双方向化する単方向／双方向変換処理部とをそなえたことを特徴とする、双方向光通信用光伝送装置。
【０２４１】
（付記２）
該単方向用光信号処理部が、
少なくとも１つの入力ポートと１つの出力ポートとをそなえて構成されるとともに、
該単方向／双方向変換処理部が、
一方の双方向通信用光伝送路を通じて入力される該上り方向の光信号と他方の双方向通信用光伝送路を通じて入力される該下り方向の光信号とを該単方向用光信号処理部の該入力ポートへ入力する一方、該単方向用光信号処理部の該出力ポートから出力される光信号のうちの該上り方向の光信号を上記他方の双方向通信用光伝送路へ出力するとともに該下り方向の光信号を上記一方の双方向通信用光伝送路へ出力するように構成されていることを特徴とする、付記１記載の双方向光通信用光伝送装置。
【０２４２】
（付記３）
該単方向／双方向変換処理部が、
該上り方向の光信号と該下り方向の光信号とを合波して該単方向用光信号処理部の該入力ポートへ出力する光合波部と、
該単方向用光信号処理部の該出力ポートからの該光信号処理済の該光信号を該上り方向の光信号と該下り方向の光信号に分波する光分波部と、
上記一方の双方向通信用光伝送路からの該上り方向の光信号を該光合波部へ分岐する一方、該光分波部で分波された該下り方向の光信号を上記一方の双方向通信用光伝送路へ分岐する第１光信号分岐部と、
上記他方の双方向通信用光伝送路からの該下り方向の光信号を該光合波部へ分岐する一方、該光分波部で分波された該上り方向の光信号を上記他方の双方向通信用光伝送路へ分岐する第２光信号分岐部とをそなえて構成されたことを特徴とする、付記２記載の双方向光通信用光伝送装置。
【０２４３】
（付記４）
該光合波部および該光分波部が、それぞれ、波長多重／分離型光カプラとして構成されていることを特徴とする、付記３記載の双方向光通信用光伝送装置。
（付記５）
該第１光信号分岐部および該第２光信号分岐部が、それぞれ、光サーキュレータとして構成されていることを特徴とする、付記３又は４に記載の双方向光通信用光伝送装置。
【０２４４】
（付記６）
該第１光信号分岐部および該第２光信号分岐部が、それぞれ、波長多重／分離型光カプラとして構成されていることを特徴とする、付記３又は４に記載の双方向光通信用光伝送装置。
（付記７）
該単方向／双方向変換処理部が、
上記一方の双方向通信用光伝送路に接続される第１入出力ポートと、上記他方の双方向通信用光伝送路に接続される第２入出力ポートと、該単方向用光信号処理部の該入力ポートに接続される第３入出力ポートと、該単方向用光信号処理部の該出力ポートに接続される第４入出力ポートとを有する波長多重／分離型光カプラとして構成されるとともに、
該波長多重／分離型光カプラが、
該第１入出力ポートに入力される該上り方向の光信号と該第２入出力ポートに入力される該下り方向の光信号とを光波長多重して該第３入出力ポートへ出力する一方、該第４入出力ポートに入力される光信号処理済の該光信号のうちの該上り方向の光信号を該第２入出力ポートへ出力するとともに該下り方向の光信号を該第１入出力ポートへ出力するように構成されていることを特徴とする、付記２記載の双方向光通信用光伝送装置。
【０２４５】
（付記８）
該単方向用光信号処理部が、
該単方向／双方向変換処理部において単一方向化された該上り方向，該下り方向の各光信号についての分散を一括して補償する一括分散補償部をそなえたことを特徴とする、付記１〜７のいずれか１項に記載の双方向光通信用光伝送装置。
【０２４６】
（付記９）
該単方向／双方向変換処理部が、
該上り方向の光信号についての分散と該下り方向の光信号についての分散とを個別に補償する個別分散補償部をそなえたことを特徴とする、付記１〜６のいずれか１項に記載の双方向光通信用光伝送装置。
【０２４７】
（付記１０）
該個別分散補償部が、
該上り方向の光信号と該下り方向の光信号とを単一方向化する前に該上り方向の光信号についての分散を補償する第１分散補償器と、
該上り方向の光信号と該下り方向の光信号とを単一方向化する前に該下り方向の光信号についての分散を補償する第２分散補償器とをそなえて構成されていることを特徴とする、付記９記載の双方向光通信用光伝送装置。
【０２４８】
（付記１１）
該単方向用光信号処理部が、
各波長の光信号の信号レベルを一定に保つ光信号レベル調整部をそなえたことを特徴とする、付記１記載の双方向光通信用光伝送装置。
（付記１２）
該光信号レベル調整部が、
波長単位で該光信号の減衰度を調整する複数の光アッテネータとして構成されていることを特徴とする、付記１１記載の双方向光通信用光伝送装置。
【０２４９】
（付記１３）
該単方向用光信号処理部が、
該単方向／双方向変換処理部で単一方向化された該光信号に対して波長単位での光信号の分岐・挿入処理を施すアド・ドロップ処理部をそなえていることを特徴とする、付記１記載の双方向光通信用光伝送装置。
【０２５０】
（付記１４）
該アド・ドロップ処理部が、
入力光信号を波長毎に分波する光分波器と、
該光分波器で分波された各波長の光信号を各波長毎に分岐しうる複数の分岐用光スイッチと、
該分岐用光スイッチで分岐された光信号の波長と同じ波長の光信号を挿入しうる複数の挿入用光スイッチと、
該挿入用光スイッチを通じて入力される各波長の光信号を合波する光合波器とをそなえて構成されていることを特徴とする、付記１３記載の双方向光通信用光伝送装置。
【０２５１】
（付記１５）
該アド・ドロップ処理部が、
分岐すべき光信号の波長に相当する周波数信号を印加することにより所望の波長の光信号を分岐する音響光チューナブルフィルタと、
挿入すべき波長の光信号を発生する光源とをそなえて構成されていることを特徴とする、付記１３記載の双方向光通信用光伝送装置。
【０２５２】
（付記１６）
該単方向用光信号処理部が、
該単方向／双方向変換処理部で単一方向化された該光信号を増幅する光増幅器をそなえたことを特徴とする、付記１記載の双方向光通信用光伝送装置。
（付記１７）
該単方向用光信号処理部が、
該単方向／双方向変換処理部で単一方向化され光信号処理済の光信号のスペクトル状態を監視するスペクトル監視部をそなえたことを特徴とする、付記１記載の双方向光通信用光伝送装置。
【０２５３】
（付記１８）
該双方向通信用光伝送路による双方向通信が不可能になった非常時に該双方向通信用光伝送路に代わって該双方向通信を行なうための非常時双方向通信用光伝送路に介装されるとともに、
上記非常時に一方の非常時双方向通信用光伝送路を通じて入力される該上り方向の光信号の流れと上記非常時に他方の非常時双方向通信用光伝送路を通じて入力される該下り光信号の流れとを単一方向化して該単方向用光信号処理部へ入力する一方、該単方向用光信号処理部からの光信号の流れを該上り方向と該下り方向とに双方向化する非常時用単方向／双方向変換処理部をそなえたことを特徴とする、付記１記載の双方向光通信用光伝送装置。
【０２５４】
（付記１９）
該単方向用光信号処理部が、
少なくとも１つの非常時用入力ポートと１つの非常時用出力ポートとをそなえて構成されるとともに、
該非常時用単方向／双方向変換処理部が、
上記非常時に上記一方の非常時双方向通信用光伝送路を通じて入力される該上り方向の光信号と上記他方の非常時双方向通信用光伝送路を通じて入力される該下り方向の光信号とを該単方向光信号処理部の該非常時用入力ポートへ出力する一方、該単方向用光信号処理部の該非常時用出力ポートから出力される光信号のうちの該上り方向の光信号を上記他方の非常時双方向通信用光伝送路へ出力するとともに該下り方向の光信号を上記一方の非常時双方向通信用光伝送路へ出力するように構成されていることを特徴とする、付記１８記載の双方向光通信用光伝送装置。
【０２５５】
（付記２０）
該非常時用単方向／双方向変換処理部が、
上記非常時に上記一方の非常時双方向通信用光伝送路を通じて入力される該上り方向の光信号と上記他方の非常時双方向通信用光伝送路を通じて入力される該下り方向の光信号とを合波して該単方向用光信号処理部の該非常時用入力ポートへ出力する非常時用光合波部と、
該単方向用光信号処理部の該非常時用出力ポートからの光信号を該上り方向の光信号と該下り方向の光信号とに分波する非常時用光分波部と、
上記一方の非常時双方向通信用光伝送路からの該上り方向の光信号を該非常時用光合波部へ分岐する一方、該非常時用分波部で分波された該下り方向の光信号を上記一方の非常時双方向通信用光伝送路へ分岐する非常時用第１光信号分岐部と、
上記他方の非常時双方向通信用光伝送路からの該下り方向の光信号を該非常時用光合波部へ分岐する一方、該非常時用光分波部で分波された該上り方向の光信号を上記他方の非常時双方向通信用光伝送路へ分岐する非常時用第２光信号分岐部とをそなえて構成されたことを特徴とする、付記１９記載の双方向光通信用光伝送装置。
【０２５６】
（付記２１）
該非常時用光合波部および該非常時用光分波部が、それぞれ、波長多重／分離型光カプラとして構成されていることを特徴とする付記２０記載の双方向光通信用光伝送装置。
（付記２２）
該非常時用第１光信号分岐部および該非常時用第２光信号分岐部が、それぞれ、光サーキュレータとして構成されていることを特徴とする、付記２０又は２１に記載の双方向光通信用光伝送装置。
【０２５７】
（付記２３）
該非常時用第１光信号分岐部および該非常時用第２光信号分岐部が、それぞれ、波長多重／分離型光カプラとして構成されていることを特徴とする、付記２０又は２１に記載の双方向光通信用光伝送装置。
（付記２４）
該単方向／双方向変換処理部が、
上記一方の非常時双方向通信用光伝送路に接続される非常時用第１入出力ポートと、上記他方の非常時双方向通信用光伝送路に接続される非常時用第２入出力ポートと、該単方向用光信号処理部の該非常時用入力ポートに接続される非常時用第３入出力ポートと、該単方向用光信号処理部の該非常時用出力ポートに接続される非常時用第４入出力ポートとを有する波長多重／分離型光カプラとして構成されるとともに、
該波長多重／分離型光カプラが、
該非常時用第１入出力ポートに入力される該上り方向の光信号と該非常時用第２入出力ポートに入力される該下り方向の光信号とを光波長多重して該非常時用第３入出力ポートへ出力する一方、該非常時用第４出力ポートに入力される光信号のうちの該上り方向の光信号を該非常時用第２入出力ポートへ出力するとともに該下り方向の光信号を該非常時用第１入出力ポートへ出力するように構成されていることを特徴とする、付記１９記載の双方向光通信用光伝送装置。
【０２５８】
（付記２５）
該単方向用光信号処理部が、
上記非常時には該単方向／双方向変換部から入力される該上り方向の光信号もしくは該下り方向の光信号を該非常時双方向通信用光伝送路側へ折り返しうる単方向用折り返し光スイッチをそなえるとともに、
該非常時用単方向／双方向変換処理部が、
該単方向用折り返し光スイッチで折り返された該上り方向の光信号を上記他方の非常時双方向通信用光伝送路へ出力する一方、該単方向用折り返し光スイッチで折り返された該下り方向の光信号を上記一方の非常時双方向通信用光伝送路へ出力するように構成されていることを特徴とする、付記１８〜２４のいずれか１項に記載の双方向光通信用光伝送装置。
【０２５９】
（付記２６）
該単方向用光信号処理部が、
上記非常時に該単方向用折り返し光スイッチで折り返された各波長の光信号の信号レベルを一定に保つ非常時光信号レベル調整部をそなえたことを特徴とする、付記１記載の双方向光通信用光伝送装置。
【０２６０】
（付記２７）
該非常時光信号レベル調整部が、
波長単位で該光信号のゲインを調整するゲインイコライザとして構成されていることを特徴とする、付記２６記載の双方向光通信用光伝送装置。
（付記２８）
上り方向と下り方向とで異なる波長の光信号を伝送することにより双方向の光通信を行なう双方向通信用光伝送路に介装され該双方向通信用光伝送路を伝送される該光信号に対して所定の光伝送処理を施す双方向光通信用光伝送装置であって、
該上り方向の光信号に対して所定の光信号処理を施す第１光信号処理部と、
該下り方向の光信号に対して所定の光信号処理を施す第２光信号処理部と、
一方の双方向通信用光伝送路を通じて入力される該上り方向の光信号を該第１光信号処理部へ分岐する一方、該第２光信号処理部からの該下り方向の光信号を上記一方の双方向通信用光伝送路へ分岐する第１分岐部と、
他方の双方向通信用光伝送路を通じて入力される該下り方向の光信号を該第２光信号処理部へ分岐する一方、該第１光信号処理部からの該上り方向の光信号を上記他方の双方向通信用光伝送路へ分岐する第２分岐部とをそなえたことを特徴とする、双方向光通信用光伝送装置。
【０２６１】
（付記２９）
該双方向通信用光伝送路による双方向通信が不可能になった非常時に該双方向通信用光伝送路に代わって該双方向通信を行なうための非常時双方向通信用光伝送路に介装されるとともに、
該第１光信号処理部が、
上記他方の双方向通信用光伝送路を通じての双方向通信が不可能になった時に上記一方の双方向通信用光伝送路を通じて入力される該上り方向の光信号を一方の非常時双方向通信用光伝送路へ折り返す第１折り返し光スイッチをそなえ、且つ、
該第２光信号処理部が、
上記一方の双方向通信用光伝送路を通じての双方向通信が不可能になった時に上記他方の双方向通信用光伝送路を通じて入力される該下り方向の光信号を他方の非常時双方向通信用光伝送路へ折り返す第２折り返し光スイッチをそなえたことを特徴とする、付記２８記載の双方向光通信用光伝送装置。
【０２６２】
（付記３０）
上記非常時に他の光伝送装置で折り返され上記他方の非常時双方向通信用光伝送路を通じて入力される該上り方向の光信号を該第１光信号処理部へ分岐する一方、上記非常時に該第２光信号処理部からの該下り方向の光信号を上記他方の非常時双方向通信用光伝送路へ分岐する第３分岐部と、
上記非常時に他の光伝送装置で折り返され一方の非常時双方向通信用光伝送路を通じて入力される該下り方向の光信号を該第２光信号処理部へ分岐する一方、上記非常時に該第１光信号処理部からの該上り方向の光信号を上記一方の非常時双方向通信用光伝送路へ分岐する第４分岐部とをそなえたことを特徴とする、付記２９記載の双方向光通信用光伝送装置。
【０２６３】
（付記３１）
該第１光信号処理部が、
上記一方の双方向通信用光伝送路を通じて入力される該上り方向の光信号についての分散を補償する第３分散補償器をそなえるとともに、
該第２光信号処理部が、
上記他方の双方向通信用光伝送路を通じて入力される該下り方向の光信号についての分散を補償する第４分散補償器をそなえたことを特徴とする、付記２８〜３０のいずれか１項に記載の双方向光通信用光伝送装置。
【０２６４】
（付記３２）
該第１光信号処理部が、
上記非常時に他の光伝送装置で折り返され上記他方の非常時双方向通信用光伝送路を通じて入力される該上り方向の光信号についての分散を補償する第５分散補償器をそなえるとともに、
該第２光信号処理部が、
上記非常時に他の光伝送装置で折り返され上記一方の非常時双方向通信用光伝送路を通じて入力される該下り方向の光信号についての分散を補償する第６分散補償器をそなえたことを特徴とする、付記３０記載の双方向光通信用光伝送装置。
【０２６５】
（付記３３）
該第１光信号処理部が、
上記一方の双方向通信用光伝送路を通じて入力される該上り方向の光信号についての分散を補償する第３分散補償器と、上記非常時に他の光伝送装置で折り返され上記他方の非常時双方向通信用光伝送路を通じて入力される該上り方向の光信号についての分散を補償する第５分散補償器とをそなえるとともに、
該第２光信号処理部が、
上記他方の双方向通信用光伝送路を通じて入力される該下り方向の光信号についての分散を補償する第４分散補償器と、上記非常時に他の光伝送装置で折り返され上記一方の非常時双方向通信用光伝送路を通じて入力される該下り方向の光信号についての分散を補償する第６分散補償器とをそなえたことを特徴とする、付記３０記載の双方向光通信用光伝送装置。
【０２６６】
（付記３４）
通常時に該第１光信号処理部で処理された該上り方向の光信号，通常時に該第２光信号処理部で処理された該下り方向の光信号，上記非常時に該第１光信号処理部で処理された該上り方向の光信号および上記非常時に該第２光信号処理部で処理された該下り方向の光信号の各スペクトル状態を監視するスペクトル監視部をそなえたことを特徴とする、付記２８〜３３のいずれか１項に記載の双方向光通信用光伝送装置。
【０２６７】
（付記３５）
該スペクトル監視部が、
上記通常時における各光信号のスペクトル状態と上記非常時における各光信号のスペクトル状態とを所定の周期で交互に監視するように構成されていることを特徴とする、付記３４記載の双方向光通信用光伝送装置。
【０２６８】
（付記３６）
該第１光信号処理部および該第２光信号処理部が、
入力光信号に対して波長単位での光信号の分岐・挿入処理を施すアド・ドロップ処理部をそなえていることを特徴とする、付記２８〜３５のいずれか１項に記載の双方向光通信用光伝送装置。
【０２６９】
（付記３７）
該アド・ドロップ処理部が、
入力光信号を波長毎に分波する光分波器と、
該光分波器で分波された各波長の光信号を各波長毎に分岐しうる複数の分岐用光スイッチと、
該分岐用光スイッチで分岐された光信号の波長と同じ波長の光信号を挿入しうる複数の挿入用光スイッチと、
該挿入用光スイッチを通じて入力される各波長の光信号を合波する光合波器とをそなえて構成されていることを特徴とする、付記３６記載の双方向光通信用光伝送装置。
【０２７０】
（付記３８）
該アド・ドロップ処理部が、
分岐すべき光信号の波長に相当する周波数信号を印加することにより所望の波長の光信号を分岐する音響光チューナブルフィルタと、
挿入すべき波長の光信号を発生する光源とをそなえて構成されていることを特徴とする、付記３６記載の双方向光通信用光伝送装置。
【０２７１】
（付記３９）
該第１光信号処理部および該第２光信号処理部が、
各波長の光信号の信号レベルを一定に保つ光信号レベル調整部をそなえたことを特徴とする、付記２８記載の双方向光通信用光伝送装置。
（付記４０）
該光信号レベル調整部が、
波長単位で該光信号の減衰度を調整する複数の光アッテネータとして構成されていることを特徴とする、付記３９記載の双方向光通信用光伝送装置。
【０２７２】
（付記４１）
該第１光信号処理部および該第２光信号処理部が、
入力光信号を増幅する光増幅器をそなえたことを特徴とする、付記２８記載の双方向光通信用光伝送装置。
（付記４２）
該第１光信号処理部および該第２光信号処理部が、
上記非常時に該第１折り返し光スイッチおよび該第２折り返し光スイッチで、それぞれ、該非常時双方向通信用光伝送路へ折り返された各波長の光信号の信号レベルを一定に保つ非常時光信号レベル調整部をそなえたことを特徴とする、付記２８記載の双方向光通信用光伝送装置。
【０２７３】
（付記４３）
該非常時光信号レベル調整部が、
波長単位で該光信号のゲインを調整するゲインイコライザとして構成されていることを特徴とする、付記４２記載の双方向光通信用光伝送装置。
【図面の簡単な説明】
【０２７４】
【図１】本発明の第１実施形態にかかる双方向光通信用光伝送装置の構成を示すブロック図である。
【図２】本発明の第１実施形態にかかる単方向用光信号処理部の構成を示すブロック図である。
【図３】本発明の第１実施形態にかかるリニアＡＤＭ部の他の例を示すブロック図である。
【図４】図３にかかる音響光チューナブルフィルタの構成を示すブロック図である。
【図５】本発明の第１実施形態にかかる双方向光通信用光伝送装置における通常時の動作を説明するための図である。
【図６】本発明の第１実施形態にかかる双方向光通信用光伝送装置における非常時の動作を説明するための図である。
【図７】本発明の第１実施形態にかかる双方向光通信用光伝送装置における非常時の動作を説明するための図である。
【図８】本発明の第１実施形態にかかる双方向光通信用光伝送装置における非常時の動作を説明するための図である。
【図９】本発明の第１実施形態にかかる双方向光通信用光伝送装置の第１変形例を示すブロック図である。
【図１０】本発明の第１実施形態にかかる双方向光通信用光伝送装置の第２変形例を示すブロック図である。
【図１１】図１０にかかる双方向光通信用光伝送装置の単方向用光信号処理部の構成を示すブロック図である。
【図１２】図１０にかかる双方向光通信用光伝送装置により構成されるネットワークを示す図である。
【図１３】図１０にかかる双方向光通信用光伝送装置により構成されるネットワークにおける非常時の動作を説明するための図である。
【図１４】本発明の第２実施形態にかかる双方向光通信用光伝送装置の構成を示すブロック図である。
【図１５】本発明の第２実施形態にかかる双方向光通信用光伝送装置における通常時の動作を説明するための図である。
【図１６】本発明の第２実施形態にかかる双方向光通信用光伝送装置における非常時の動作を説明するための図である。
【図１７】本発明の第２実施形態にかかる双方向光通信用光伝送装置における非常時の動作を説明するための図である。
【図１８】本発明の第２実施形態にかかる双方向光通信用光伝送装置における非常時の動作を説明するための図である。
【図１９】単方向波長多重方式を適用した波長多重通信システムの構成を示すブロック図である。
【図２０】図１９に示す波長多重通信システムにおける非常時の動作を説明するための図である。
【図２１】一般的な波長多重通信システムの４ＦｉｂｅｒＢＬＳＲネットワークの構成を示すブロック図である。
【図２２】一般的な波長多重通信システムのＵＰＳＲネットワークの構成を示すブロック図である。
【図２３】双方向波長多重方式を適用した波長多重通信システムの構成を示すブロック図である。
【図２４】図２３に示す波長多重通信システムにおける非常時の動作を説明するための図である。
【符号の説明】
【０２７５】
１，１Ａ  光ＡＤＭ装置（単方向用光信号処理部）
１Ｂ  光ＡＤＭ装置（双方向光通信用伝送装置）
１Ｃ  第１光ＡＤＭ部（第１光信号処理部）
１Ｄ  第２光ＡＤＭ部（第２光信号処理部）
１ａ，１Ｂａ  通常時用入力ポート
１ｂ，１Ｂｂ  通常時用出力ポート
１ｃ，１Ｂｃ  非常時用入力ポート
１ｄ，１Ｂｄ  非常時用出力ポート
２  第１方向変換処理部（単方向／双方向変換処理部）
３  第２方向変換処理部（非常時用単方向／双方向変換処理部）
４，６  光増幅器（Pre-amp）
５，１８  分散補償器（分散補償ファイバ；ＤＣＦ）
７  ＡＯＴＦ（Acousto-Optical Tunable Filter；音響光チューナブルフィルタ）
７Ａ  処理部
８，１７  光増幅器（Post-amp）
８ａ，９ａ，９ｂ  光カプラ
９  ２×１スイッチ
１０  光スペクトルモニタ
１１，１７，１５３ｃ  光増幅器
１２，１６  １×８光カプラ
１３−１〜１３−８，１５３ｄ  可変バンドパスフィルタ
１４  電気ＡＤＭ（Ｅ−ＡＤＭ）
１５  光信号生成部（ＬＤｂａｎｋ）
２０  光カプラ（光合波部；１×２ＷＤＭ光カプラ）
２１  光カプラ（光分波部；１×２ＷＤＭ光カプラ）
２２  光サーキュレータ（第１光信号分岐部）
２２Ａ  光カプラ（第１分岐部）
２３  光サーキュレータ（第２光信号分岐部）
２３Ａ  光カプラ（第２分岐部）
２６，２７，３０，３１，３６，３７  光カプラ（２×１光カプラ）
３２，３３  光サーキュレータ
２４  分散補償器（第１分散補償器）
２４Ａ  分散補償器（第３分散補償器）
２５  分散補償器（第２分散補償器）
２５Ａ  分散補償器（第４分散補償器）
２８，３８  光カプラ（２×２ＷＤＭ光カプラ）
２８ａ  第１入出力ポート
２８ｂ  第２入出力ポート
２８ｃ  第３入出力ポート
２８ｄ  第４入出力ポート
３０  光カプラ（非常時用光合波部）
３１  光カプラ（非常時用光分波部）
３２  光サーキュレータ（非常時用第１光信号分岐部）
３２Ａ  光カプラ（第３分岐部）
３３  光サーキュレータ（光常時用第２光信号分岐部）
３３Ａ  光カプラ（第４分岐部）
３４，３５  分散補償器
３４Ａ  分散補償器（第５分散補償器）
３５Ａ  分散補償器（第６分散補償器）
３８ａ  非常時用第１入出力ポート
３８ｂ  非常時用第２入出力ポート
３８ｃ  非常時用第３入出力ポート
３８ｄ  非常時用第４出力ポート
４５  分波器
４６−１〜４６−ｎ  分岐用光スイッチ（１×２光スイッチ）
４７−１〜４７−ｎ  挿入用光スイッチ（２×１光スイッチ）
４８−１〜４８−ｎ  光アッテネータ
４９  合波器
５０，５１  波長多重通信システム
５２  ４ｆｉｂｅｒＢＬＳＲ（Bi-directional Line Switched Ring）ネットワーク
５３  ＵＰＳＲ（Uni-directional Path Switched Ring）ネットワーク
５４，５５  ２ｆｉｂｅｒＢＬＳＲネットワーク
６０，６１，６２，６２Ａ〜６２Ｄ，６３  双方向光通信用光伝送装置
６０ａ，６０ｂ，６０ａ′，６０ｂ′，６０ｅ，６０ｆ  光ファイバ（双方向通信用光伝送路）
６０ｃ，６０ｄ，６０ｃ′，６０ｄ′，６０ｇ，６０ｈ  光ファイバ（非常用双方向通信用光伝送路）
６４Ａ，６４Ｂ  双方向光増幅器
７０  光入力ポート
７２  光導波路
７３  くし形電極（ＩＤＴ）
７４  ＳＡＷクラッド部
７５  偏波分離部（ＰＢＳ；Polarization beam split）
７６，７７  光出力ポート
８１Ａ〜８１Ｄ，８１Ａ′，８１Ｂ′  光ファイバ
８０Ａ〜８０Ｆ  光送信部（ＯＳ；Optical Sender）
８２Ａ〜８２Ｆ  光受信部（ＯＲ；Optical Receiver）
８３〜８６  ＷＤＭ光カプラ
１０１，１０８  光スイッチ（単方向用折り返し光スイッチ；２×２スイッチ）
１０１Ａ，１０１Ｂ  光スイッチ
１０２，１０６，１１０，１１２，１１４，１１７  光カプラ（２×１光カプラ）
１０３，１１３  監視信号受信部（ＳＶＯＲ）
１０４，１０９，１１６  光増幅器
１０５  リニアＡＤＭ部（アド・ドロップ処理部）
１０５Ａ，１０５Ｂ  リニアＡＤＭ部（第１アド・ドロップ処理部）
１０７，１１５  監視信号送信部（ＳＶＯＳ）
１０８Ａ  光スイッチ（第１折り返し光スイッチ）
１０８Ｂ  光スイッチ（第２折り返し光スイッチ）
１１１，１１８，１２２  光スペクトルモニタ（スペクトル監視部）
１２３  光スペクトルモニタ用スイッチ
１２３ａ〜１２３ｆ  光カプラ
１１９，１１９Ａ，１１９Ｂ  ゲインイコライザ（非常時光信号レベル調整部）
１４０−１〜１４０−８  受信部（ＲＸ）
１４１−１〜１４１−８  送信部（ＴＸ）
１５０  光源駆動回路
１５１  光源ユニット（LD unit）
１５２  ８×８光カプラ
１５３−１〜１５３−８  再変調部（Remodulator）
１５３ａ  電気／光変換部（Ｅ／Ｏ）
１５３ｂ  変調器
５０１〜５１０  光伝送装置（光ＡＤＭ装置）
５１１，５１２  光伝送装置
【図１】
2007282277.tif 000003
【図２】
2007282277.tif 000004
【図３】
2007282277.tif 000005
【図４】
2007282277.tif 000006
【図５】
2007282277.tif 000007
【図６】
2007282277.tif 000008
【図７】
2007282277.tif 000009
【図８】
2007282277.tif 000010
【図９】
2007282277.tif 000011
【図１０】
2007282277.tif 000012
【図１１】
2007282277.tif 000013
【図１２】
2007282277.tif 000014
【図１３】
2007282277.tif 000015
【図１４】
2007282277.tif 000016
【図１５】
2007282277.tif 000017
【図１６】
2007282277.tif 000018
【図１７】
2007282277.tif 000019
【図１８】
2007282277.tif 000020
【図１９】
2007282277.tif 000021
【図２０】
2007282277.tif 000022
【図２１】
2007282277.tif 000023
【図２２】
2007282277.tif 000024
【図２３】
2007282277.tif 000025
【図２４】
2007282277.tif 000026